(57)【要約】ハンドオーバ処理のための競合なしのランダムアクセス（ＣＦＲＡ）および競合ベースのランダムアクセス（ＣＢＲＡ）のユーザ機器（ＵＥ）による選択が説明される。態様は、ＵＥにおいて、ＣＦＲＡおよびＣＢＲＡのための構成を含むランダムアクセス構成を受信することを含む。ＵＥは、第１のランダムアクセスリソースを決定し、ここにおいて、第１のランダムアクセスリソースは、ターゲット基地局からの１つまたは複数のビームにマッピングされる。ＵＥは、第１のランダムアクセスリソースが競合なしのリソースであるとき、ＣＦＲＡを使用してランダムアクセス要求を開始し、第１のランダムアクセスリソースが競合ベースのリソースであるとき、ＣＢＲＡを使用してランダムアクセス要求を開始し得る。【選択図】図４
2020519121.tif 000002
【特許請求の範囲】
【請求項１】
ワイヤレス通信の方法であって、
ユーザ機器（ＵＥ）において、ランダムアクセス構成を受信することと、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定することと、ここにおいて、前記第１のランダムアクセスリソースは、ターゲット基地局からの１つまたは複数のビームにマッピングされ、
前記ＵＥによって、前記第１のランダムアクセスリソースに関連付けられたビーム品質を決定することと、
前記第１のランダムアクセスリソースが競合なしのリソースであり、かつ前記第１のランダムアクセスリソースの前記ビーム品質がしきい値ビーム品質を下回るとき、前記ＵＥによって、前記ＣＢＲＡを使用してランダムアクセス要求を開始することと
を備える、方法。
【請求項２】
ワイヤレス通信の方法であって、
ユーザ機器（ＵＥ）において、ランダムアクセス構成を受信することと、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定することと、ここにおいて、前記第１のランダムアクセスリソースは、ターゲット基地局からの１つまたは複数のビームにマッピングされ、
前記第１のランダムアクセスリソースが競合なしのリソースであるとき、前記ＵＥによって、前記ＣＦＲＡを使用してランダムアクセス要求を開始することと、
前記ＣＦＲＡを使用して前記ランダムアクセスを前記開始した後、前記ＵＥによって、所定の時間期間より前に、前記ＣＦＲＡを使用した前記ランダムアクセス要求に対するランダムアクセス応答を検出することに失敗することと、
前記ＵＥによって、次の競合ベースのリソースにおいてＣＢＲＡを開始することと、ここにおいて、前記次の競合ベースのリソースは、前記ターゲット基地局の１つまたは複数の追加のビームにマッピングされる、
を備える、方法。
【請求項３】
ワイヤレス通信の方法であって、
ユーザ機器（ＵＥ）において、ランダムアクセス構成を受信することと、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定することと、ここにおいて、前記第１のランダムアクセスリソースは、ターゲット基地局からの１つまたは複数のビームにマッピングされ、
前記第１のランダムアクセスリソースが競合なしのリソースであるとき、前記ＵＥによって、前記ＣＦＲＡを使用してランダムアクセス要求を開始することと、
前記第１のランダムアクセスリソースが競合ベースのリソースであるとき、前記ＵＥによって、前記ＣＢＲＡを使用して前記ランダムアクセス要求を開始することと
を備える、方法。
【請求項４】
前記ＵＥによって、前記第１のランダムアクセスリソースに関連付けられたビーム品質を決定することと、
前記第１のランダムアクセスリソースが前記競合なしのリソースであり、かつ前記第１のランダムアクセスリソースの前記ビーム品質がしきい値ビーム品質を下回るとき、前記ＵＥによって、前記ＣＢＲＡを使用して前記ランダムアクセス要求を開始することと
をさらに含む、請求項３に記載の方法。
【請求項５】
前記ＵＥにおいて、前記ＣＦＲＡを使用した前記ランダムアクセス要求に対するランダムアクセス応答を受信することと、ここにおいて、前記ランダムアクセス応答は、次の競合ベースのリソースの後に位置する次のアップリンク送信機会を識別し、ここにおいて、前記次の競合ベースのリソースは、前記ターゲット基地局の１つまたは複数の追加のビームにマッピングされ、
前記ＵＥによって、前記次の競合ベースのリソースにおいてＣＢＲＡを開始することと
をさらに含む、請求項３に記載の方法。
【請求項６】
前記ＣＦＲＡを使用して前記ランダムアクセスを前記開始した後、前記ＵＥによって、所定の時間期間より前に、前記ＣＦＲＡを使用した前記ランダムアクセス要求に対するランダムアクセス応答を検出することに失敗することと、
前記ＵＥによって、次の競合ベースのリソースにおいてＣＢＲＡを開始することと、ここにおいて、前記次の競合ベースのリソースは、前記ターゲット基地局の１つまたは複数の追加のビームにマッピングされる、
をさらに含む、請求項３に記載の方法。
【請求項７】
前記ＵＥによって、前記ＣＦＲＡを使用して前記ランダムアクセス要求を前記開始することに加えて、競合ベースのランダムアクセスリソースにおいて、前記ＣＢＲＡを使用して別のランダムアクセス要求を開始すること、または
前記ＵＥによって、前記ＣＢＲＡを使用して前記ランダムアクセス要求を前記開始することに加えて、競合なしのランダムアクセスリソースにおいて、前記ＣＦＲＡを使用して前記別のランダムアクセス要求を開始すること
のうちの１つをさらに含む、請求項３に記載の方法。
【請求項８】
前記ランダムアクセス構成は、前記ＵＥが、
前記ＣＦＲＡを使用して前記ランダムアクセス要求を前記開始すること、
前記ＣＢＲＡを使用して前記ランダムアクセス要求を前記開始すること、または
前記ＣＦＲＡおよび前記ＣＢＲＡの両方を使用して前記ランダムアクセス要求を開始すること
のうちの１つを実行するための識別をさらに含む、請求項３に記載の方法。
【請求項９】
前記ランダムアクセス構成は、前記ＵＥが、所定の優先度（predetermined priority）に従って、
前記ＣＦＲＡを使用して前記ランダムアクセス要求を前記開始すること、
前記ＣＢＲＡを使用して前記ランダムアクセス要求を前記開始すること、または
前記ＣＦＲＡおよび前記ＣＢＲＡの両方を使用して前記ランダムアクセス要求を開始すること
のうちの１つを実行するための識別（identification）をさらに含む、請求項３に記載の方法。
【請求項１０】
ワイヤレス通信の方法であって、
ターゲット基地局において、競合なしのランダムアクセス（ＣＦＲＡ）のためにスケジュールされた１つまたは複数のビームにおいて、ＣＦＲＡプロシージャを使用するユーザ機器（ＵＥ）からのランダムアクセス要求を受信することと、
前記ターゲット基地局によって、アップリンク送信機会までの遅延を識別する、前記ＵＥへのランダムアクセス応答を送信することと、
前記ターゲット基地局によって、前記アップリンク送信機会より前に、前記ＵＥからの競合ベースのランダムアクセス（ＣＢＲＡ）要求を検出することと、
前記ターゲット基地局によって、ＣＦＲＡを使用する次のアップリンク送信機会についての前記遅延を低減させることと
を備える、方法。
【請求項１１】
ワイヤレス通信の方法であって、
ターゲット基地局において、ユーザ機器（ＵＥ）に関連付けられたハンドオーバ要求を受信することと、
前記ターゲット基地局によって、ランダムアクセス構成を含むハンドオーバコマンドを生成することと、ここにおいて、前記ランダムアクセス構成は、競合なしのランダムアクセス（ＣＦＲＡ）および競合ベースのランダムアクセス（ＣＢＲＡ）のための構成を含み、
前記ターゲット基地局によって、ＣＦＲＡのための１つまたは複数のビームと、ＣＢＲＡのための１つまたは複数の追加のビームとをスケジュールすることと、
前記ターゲット基地局によって、前記ＣＢＲＡのための１つまたは複数の追加のビームを使用して、前記ＵＥによるハンドオーバの開始を検出することと、
前記ターゲット基地局によって、前記ＣＦＲＡのための１つまたは複数のビームのスケジュールを解放することと
を備える、方法。
【請求項１２】
ワイヤレス通信のために構成された装置であって、
ユーザ機器（ＵＥ）において、ランダムアクセス構成を受信するための手段と、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定するための手段と、ここにおいて、前記第１のランダムアクセスリソースは、ターゲット基地局からの１つまたは複数のビームにマッピングされ、
前記ＵＥによって、前記第１のランダムアクセスリソースに関連付けられたビーム品質を決定するための手段と、
前記第１のランダムアクセスリソースが競合なしのリソースであり、かつ前記第１のランダムアクセスリソースの前記ビーム品質がしきい値ビーム品質を下回るとき、前記ＵＥによって、前記ＣＢＲＡを使用してランダムアクセス要求を開始するための手段と
を備える、装置。
【請求項１３】
ワイヤレス通信のために構成された装置であって、
ユーザ機器（ＵＥ）において、ランダムアクセス構成を受信するための手段と、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定するための手段と、ここにおいて、前記第１のランダムアクセスリソースは、ターゲット基地局からの１つまたは複数のビームにマッピングされ、
前記第１のランダムアクセスリソースが競合なしのリソースであるとき、前記ＵＥによって、前記ＣＦＲＡを使用してランダムアクセス要求を開始するための手段と、
前記ＣＦＲＡを使用して前記ランダムアクセスを前記開始するための手段の後、前記ＵＥによって、所定の時間期間より前に、前記ＣＦＲＡを使用した前記ランダムアクセス要求に対するランダムアクセス応答を検出することに失敗するための手段と、
前記ＵＥによって、次の競合ベースのリソースにおいてＣＢＲＡを開始するための手段と、ここにおいて、前記次の競合ベースのリソースは、前記ターゲット基地局の１つまたは複数の追加のビームにマッピングされる、
を備える、装置。
【請求項１４】
ワイヤレス通信のために構成された装置であって、
ユーザ機器（ＵＥ）において、ランダムアクセス構成を受信するための手段と、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定するための手段と、ここにおいて、前記第１のランダムアクセスリソースは、ターゲット基地局からの１つまたは複数のビームにマッピングされ、
前記第１のランダムアクセスリソースが競合なしのリソースであるとき、前記ＵＥによって、前記ＣＦＲＡを使用してランダムアクセス要求を開始するための手段と、
前記第１のランダムアクセスリソースが競合ベースのリソースであるとき、前記ＵＥによって、前記ＣＢＲＡを使用して前記ランダムアクセス要求を開始するための手段と
を備える、装置。
【請求項１５】
前記ＵＥによって、前記第１のランダムアクセスリソースに関連付けられたビーム品質を決定するための手段と、
前記第１のランダムアクセスリソースが前記競合なしのリソースであり、かつ前記第１のランダムアクセスリソースの前記ビーム品質がしきい値ビーム品質を下回るとき、前記ＵＥによって、前記ＣＢＲＡを使用して前記ランダムアクセス要求を開始するための手段と
をさらに含む、請求項１４に記載の装置。
【請求項１６】
前記ＵＥにおいて、前記ＣＦＲＡを使用した前記ランダムアクセス要求に対するランダムアクセス応答を受信するための手段と、ここにおいて、前記ランダムアクセス応答は、次の競合ベースのリソースの後に位置する次のアップリンク送信機会を識別し、ここにおいて、前記次の競合ベースのリソースは、前記ターゲット基地局の１つまたは複数の追加のビームにマッピングされ、
前記ＵＥによって、前記次の競合ベースのリソースにおいてＣＢＲＡを開始するための手段と
をさらに含む、請求項１４に記載の装置。
【請求項１７】
前記ＣＦＲＡを使用して前記ランダムアクセスを前記開始するための手段の後、前記ＵＥによって、所定の時間期間より前に、前記ＣＦＲＡを使用した前記ランダムアクセス要求に対するランダムアクセス応答を検出することに失敗するための手段と、
前記ＵＥによって、次の競合ベースのリソースにおいてＣＢＲＡを開始するための手段と、ここにおいて、前記次の競合ベースのリソースは、前記ターゲット基地局の１つまたは複数の追加のビームにマッピングされる、
をさらに含む、請求項１４に記載の装置。
【請求項１８】
前記ＵＥによって、前記ＣＦＲＡを使用して前記ランダムアクセス要求を前記開始するための手段に加えて、競合ベースのランダムアクセスリソースにおいて、前記ＣＢＲＡを使用して別のランダムアクセス要求を開始するための手段、または
前記ＵＥによって、前記ＣＢＲＡを使用して前記ランダムアクセス要求を前記開始するための手段に加えて、競合なしのランダムアクセスリソースにおいて、前記ＣＦＲＡを使用して前記別のランダムアクセス要求を開始するための手段
のうちの１つをさらに含む、請求項１４に記載の装置。
【請求項１９】
前記ランダムアクセス構成は、前記ＵＥが、
前記ＣＦＲＡを使用して前記ランダムアクセス要求を前記開始するための手段と、
前記ＣＢＲＡを使用して前記ランダムアクセス要求を前記開始するための手段、または
前記ＣＦＲＡおよび前記ＣＢＲＡの両方を使用して前記ランダムアクセス要求を開始するための手段
のうちの１つを実行するための識別をさらに含む、請求項１４に記載の装置。
【請求項２０】
前記ランダムアクセス構成は、前記ＵＥが、所定の優先度に従って、
前記ＣＦＲＡを使用して前記ランダムアクセス要求を前記開始するための手段、
前記ＣＢＲＡを使用して前記ランダムアクセス要求を前記開始するための手段、または
前記ＣＦＲＡおよび前記ＣＢＲＡの両方を使用して前記ランダムアクセス要求を開始するための手段
のうちの１つを実行するための識別をさらに含む、請求項１４に記載の装置。
【請求項２１】
ワイヤレス通信のために構成された装置であって、
ターゲット基地局において、競合なしのランダムアクセス（ＣＦＲＡ）のためにスケジュールされた１つまたは複数のビームにおいて、ＣＦＲＡプロシージャを使用するユーザ機器（ＵＥ）からのランダムアクセス要求を受信するための手段と、
前記ターゲット基地局によって、アップリンク送信機会までの遅延を識別する、前記ＵＥへのランダムアクセス応答を送信するための手段と、
前記ターゲット基地局によって、前記アップリンク送信機会より前に、前記ＵＥからの競合ベースのランダムアクセス（ＣＢＲＡ）要求を検出するための手段と、
前記ターゲット基地局によって、ＣＦＲＡを使用する次のアップリンク送信機会についての前記遅延を低減させるための手段と
を備える、装置。
【請求項２２】
ワイヤレス通信のために構成された装置であって、
ターゲット基地局において、ユーザ機器（ＵＥ）に関連付けられたハンドオーバ要求を受信するための手段と、
前記ターゲット基地局によって、ランダムアクセス構成を含むハンドオーバコマンドを生成するための手段と、ここにおいて、前記ランダムアクセス構成は、競合なしのランダムアクセス（ＣＦＲＡ）および競合ベースのランダムアクセス（ＣＢＲＡ）のための構成を含み、
前記ターゲット基地局によって、ＣＦＲＡのための１つまたは複数のビームと、ＣＢＲＡのための１つまたは複数の追加のビームとをスケジュールするための手段と、
前記ターゲット基地局によって、前記ＣＢＲＡのための１つまたは複数の追加のビームを使用して、前記ＵＥによるハンドオーバの開始を検出するための手段と、
前記ターゲット基地局によって、前記ＣＦＲＡのための１つまたは複数のビームのスケジュールを解放するための手段と
を備える、装置。
【請求項２３】
プログラムコードを記録した非一時的なコンピュータ可読媒体であって、前記プログラムコードは、
コンピュータに、ユーザ機器（ＵＥ）において、ランダムアクセス構成を受信することを行わせるための、前記コンピュータによって実行可能なプログラムコードと、ここにおいて、前記ランダムアクセス構成は、競合なしのランダムアクセス（ＣＦＲＡ）および競合ベースのランダムアクセス（ＣＢＲＡ）のための構成を含み、
前記コンピュータに、前記ＵＥにおいて、第１のランダムアクセスリソースを決定することを行わせるための、前記コンピュータによって実行可能なプログラムコードと、ここにおいて、前記第１のランダムアクセスリソースは、ターゲット基地局からの１つまたは複数のビームにマッピングされ、
前記コンピュータに、前記ＵＥによって、前記第１のランダムアクセスリソースに関連付けられたビーム品質を決定することを行わせるための、前記コンピュータによって実行可能なプログラムコードと、
前記コンピュータに、前記第１のランダムアクセスリソースが競合なしのリソースであり、かつ前記第１のランダムアクセスリソースの前記ビーム品質がしきい値ビーム品質を下回るとき、前記ＵＥによって、前記ＣＢＲＡを使用してランダムアクセス要求を開始することを行わせるための、前記コンピュータによって実行可能なプログラムコードと
を備える、非一時的なコンピュータ可読媒体。
【請求項２４】
プログラムコードを記録した非一時的なコンピュータ可読媒体であって、前記プログラムコードは、
コンピュータに、ユーザ機器（ＵＥ）において、ランダムアクセス構成を受信することを行わせるための、前記コンピュータによって実行可能なプログラムコードと、ここにおいて、前記ランダムアクセス構成は、競合なしのランダムアクセス（ＣＦＲＡ）および競合ベースのランダムアクセス（ＣＢＲＡ）のための構成を含み、
前記コンピュータに、前記ＵＥにおいて、第１のランダムアクセスリソースを決定することを行わせるための、前記コンピュータによって実行可能なプログラムコードと、ここにおいて、前記第１のランダムアクセスリソースは、ターゲット基地局からの１つまたは複数のビームにマッピングされ、
前記コンピュータに、前記第１のランダムアクセスリソースが競合なしのリソースであるとき、前記ＵＥによって、前記ＣＦＲＡを使用してランダムアクセス要求を開始することを行わせるための、前記コンピュータによって実行可能なプログラムコードと、
前記コンピュータに、前記ＣＦＲＡを使用して前記ランダムアクセスを開始することを行わせるための、前記コンピュータによって実行可能な前記プログラムコードの実行後、前記コンピュータに、前記ＵＥによって、所定の時間期間より前に、前記ＣＦＲＡを使用した前記ランダムアクセス要求に対するランダムアクセス応答を検出することに失敗することを行わせるための、前記コンピュータによって実行可能なプログラムコードと、
前記コンピュータに、前記ＵＥによって、次の競合ベースのリソースにおいてＣＢＲＡを開始することを行わせるための、前記コンピュータによって実行可能なプログラムコードと、ここにおいて、前記次の競合ベースのリソースは、前記ターゲット基地局の１つまたは複数の追加のビームにマッピングされる、
を備える、非一時的なコンピュータ可読媒体。
【請求項２５】
プログラムコードを記録した非一時的なコンピュータ可読媒体であって、前記プログラムコードは、
コンピュータに、ユーザ機器（ＵＥ）において、ランダムアクセス構成を受信することを行わせるための、前記コンピュータによって実行可能なプログラムコードと、ここにおいて、前記ランダムアクセス構成は、競合なしのランダムアクセス（ＣＦＲＡ）および競合ベースのランダムアクセス（ＣＢＲＡ）のための構成を含み、
前記コンピュータに、前記ＵＥにおいて、第１のランダムアクセスリソースを決定することを行わせるための、前記コンピュータによって実行可能なプログラムコードと、ここにおいて、前記第１のランダムアクセスリソースは、ターゲット基地局からの１つまたは複数のビームにマッピングされ、
前記コンピュータに、前記第１のランダムアクセスリソースが競合なしのリソースであるとき、前記ＵＥによって、前記ＣＦＲＡを使用してランダムアクセス要求を開始することを行わせるための、前記コンピュータによって実行可能なプログラムコードと、
前記コンピュータに、前記第１のランダムアクセスリソースが競合ベースのリソースであるとき、前記ＵＥによって、前記ＣＢＲＡを使用して前記ランダムアクセス要求を開始することを行わせるための、前記コンピュータによって実行可能なプログラムコードと
を備える、非一時的なコンピュータ可読媒体。
【請求項２６】
前記コンピュータに、前記ＵＥによって、前記第１のランダムアクセスリソースに関連付けられたビーム品質を決定することを行わせるための、前記コンピュータによって実行可能なプログラムコードと、
前記第１のランダムアクセスリソースが前記競合なしのリソースであり、かつ前記第１のランダムアクセスリソースの前記ビーム品質がしきい値ビーム品質を下回るとき、前記コンピュータに、前記ＵＥによって、前記ＣＢＲＡを使用して前記ランダムアクセス要求を開始することを行わせるための、前記コンピュータによって実行可能なプログラムコードと
をさらに含む、請求項２５に記載の非一時的なコンピュータ可読媒体。
【請求項２７】
前記コンピュータに、前記ＵＥにおいて、前記ＣＦＲＡを使用した前記ランダムアクセス要求に対するランダムアクセス応答を受信することを行わせるための、前記コンピュータによって実行可能なプログラムコードと、ここにおいて、前記ランダムアクセス応答は、次の競合ベースのリソースの後に位置する次のアップリンク送信機会を識別し、ここにおいて、前記次の競合ベースのリソースは、前記ターゲット基地局の１つまたは複数の追加のビームにマッピングされ、
前記コンピュータに、前記ＵＥによって、前記次の競合ベースのリソースにおいてＣＢＲＡを開始することを行わせるための、前記コンピュータによって実行可能なプログラムコードと
をさらに含む、請求項２５に記載の非一時的なコンピュータ可読媒体。
【請求項２８】
前記コンピュータに、前記ＣＦＲＡを使用して前記ランダムアクセスを開始することを行わせるための、前記コンピュータによって実行可能な前記プログラムコードの後に、前記コンピュータに、前記ＵＥによって、所定の時間期間より前に、前記ＣＦＲＡを使用した前記ランダムアクセス要求に対するランダムアクセス応答を検出することに失敗することを行わせるための、前記コンピュータによって実行可能なプログラムコードと、
前記コンピュータに、前記ＵＥによって、次の競合ベースのリソースにおいてＣＢＲＡを開始することを行わせるための、前記コンピュータによって実行可能なプログラムコードと、ここにおいて、前記次の競合ベースのリソースは、前記ターゲット基地局の１つまたは複数の追加のビームにマッピングされる、
をさらに含む、請求項２５に記載の非一時的なコンピュータ可読媒体。
【請求項２９】
前記コンピュータに、前記ＣＦＲＡを使用して前記ランダムアクセス要求を開始することを行わせるための、前記コンピュータによって実行可能な前記プログラムコードに加えて、前記コンピュータに、前記ＵＥによって、競合ベースのランダムアクセスリソースにおいて、前記ＣＢＲＡを使用して別のランダムアクセス要求を開始することを行わせるための、前記コンピュータによって実行可能なプログラムコード、または
前記コンピュータに、前記ＣＢＲＡを使用して前記ランダムアクセス要求を開始することを行わせるための、前記コンピュータによって実行可能な前記プログラムコードに加えて、前記コンピュータに、前記ＵＥによって、競合なしのランダムアクセスリソースにおいて、前記ＣＦＲＡを使用して前記別のランダムアクセス要求を開始することを行わせるための、前記コンピュータによって実行可能なプログラムコード
のうちの１つをさらに含む、請求項２５に記載の非一時的なコンピュータ可読媒体。
【請求項３０】
前記ランダムアクセス構成は、前記ＵＥが、
前記コンピュータに、前記ＣＦＲＡを使用して前記ランダムアクセス要求を開始することを行わせるための、前記コンピュータによって実行可能な前記プログラムコード、
前記コンピュータに、前記ＣＢＲＡを使用して前記ランダムアクセス要求を開始することを行わせるための、前記コンピュータによって実行可能な前記プログラムコード、または
前記コンピュータに、前記ＣＦＲＡおよび前記ＣＢＲＡの両方を使用して前記ランダムアクセス要求を開始することを行わせるための、前記コンピュータによって実行可能なプログラムコード
のうちの１つを実行するための識別をさらに含む、請求項２５に記載の非一時的なコンピュータ可読媒体。
【請求項３１】
前記ランダムアクセス構成は、前記ＵＥが、所定の優先度に従って、
前記コンピュータに、前記ＣＦＲＡを使用して前記ランダムアクセス要求を開始することを行わせるための、前記コンピュータによって実行可能な前記プログラムコード、
前記コンピュータに、前記ＣＢＲＡを使用して前記ランダムアクセス要求を開始することを行わせるための、前記コンピュータによって実行可能な前記プログラムコード、または
前記コンピュータに、前記ＣＦＲＡおよび前記ＣＢＲＡの両方を使用して前記ランダムアクセス要求を開始することを行わせるための、前記コンピュータによって実行可能なプログラムコード
のうちの１つを実行するための識別をさらに含む、請求項２５に記載の非一時的なコンピュータ可読媒体。
【請求項３２】
プログラムコードを記録した非一時的なコンピュータ可読媒体であって、前記プログラムコードは、
コンピュータに、ターゲット基地局において、競合なしのランダムアクセス（ＣＦＲＡ）のためにスケジュールされた１つまたは複数のビームにおいて、ＣＦＲＡプロシージャを使用するユーザ機器（ＵＥ）からのランダムアクセス要求を受信することを行わせるための、前記コンピュータによって実行可能なプログラムコードと、
前記コンピュータに、前記ターゲット基地局によって、アップリンク送信機会までの遅延を識別する、前記ＵＥへのランダムアクセス応答を送信することを行わせるための、前記コンピュータによって実行可能なプログラムコードと、
前記コンピュータに、前記ターゲット基地局によって、前記アップリンク送信機会より前に、前記ＵＥからの競合ベースのランダムアクセス（ＣＢＲＡ）要求を検出することを行わせるための、前記コンピュータによって実行可能なプログラムコードと、
前記コンピュータに、前記ターゲット基地局によって、ＣＦＲＡを使用する次のアップリンク送信機会についての前記遅延を低減させることを行わせるための、前記コンピュータによって実行可能なプログラムコードと
を備える、非一時的なコンピュータ可読媒体。
【請求項３３】
プログラムコードを記録した非一時的なコンピュータ可読媒体であって、前記プログラムコードは、
コンピュータに、ターゲット基地局において、ユーザ機器（ＵＥ）に関連付けられたハンドオーバ要求を受信することを行わせるための、前記コンピュータによって実行可能なプログラムコードと、
前記コンピュータに、前記ターゲット基地局によって、ランダムアクセス構成を含むハンドオーバコマンドを生成することを行わせるための、前記コンピュータによって実行可能なプログラムコードと、ここにおいて、前記ランダムアクセス構成は、競合なしのランダムアクセス（ＣＦＲＡ）および競合ベースのランダムアクセス（ＣＢＲＡ）のための構成を含み、
前記コンピュータに、前記ターゲット基地局によって、ＣＦＲＡのための１つまたは複数のビームと、ＣＢＲＡのための１つまたは複数の追加のビームとをスケジュールすることを行わせるための、前記コンピュータによって実行可能なプログラムコードと、
前記コンピュータに、前記ターゲット基地局によって、前記ＣＢＲＡのための１つまたは複数の追加のビームを使用して、前記ＵＥによるハンドオーバの開始を検出することを行わせるための、前記コンピュータによって実行可能なプログラムコードと、
前記コンピュータに、前記ターゲット基地局によって、前記ＣＦＲＡのための１つまたは複数のビームのスケジュールを解放することを行わせるための、前記コンピュータによって実行可能なプログラムコードと
を備える、非一時的なコンピュータ可読媒体。
【請求項３４】
ワイヤレス通信のために構成された装置であって、前記装置は、
少なくとも１つのプロセッサと、
前記少なくとも１つのプロセッサに結合されたメモリと
を備え、ここにおいて、前記少なくとも１つのプロセッサは、
ユーザ機器（ＵＥ）において、ランダムアクセス構成を受信することと、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定することと、ここにおいて、前記第１のランダムアクセスリソースは、ターゲット基地局からの１つまたは複数のビームにマッピングされ、
前記ＵＥによって、前記第１のランダムアクセスリソースに関連付けられたビーム品質を決定することと、
前記第１のランダムアクセスリソースが競合なしのリソースであり、かつ前記第１のランダムアクセスリソースの前記ビーム品質がしきい値ビーム品質を下回るとき、前記ＵＥによって、前記ＣＢＲＡを使用してランダムアクセス要求を開始することと
を行うように構成される、装置。
【請求項３５】
ワイヤレス通信のために構成された装置であって、前記装置は、
少なくとも１つのプロセッサと、
前記少なくとも１つのプロセッサに結合されたメモリと
を備え、ここにおいて、前記少なくとも１つのプロセッサは、
ユーザ機器（ＵＥ）において、ランダムアクセス構成を受信することと、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定することと、ここにおいて、前記第１のランダムアクセスリソースは、ターゲット基地局からの１つまたは複数のビームにマッピングされ、
前記第１のランダムアクセスリソースが競合なしのリソースであるとき、前記ＵＥによって、前記ＣＦＲＡを使用してランダムアクセス要求を開始することと、
前記ＣＦＲＡを使用して前記ランダムアクセスを開始するための前記少なくとも１つのプロセッサの前記構成の実行後、前記ＵＥによって、所定の時間期間より前に、前記ＣＦＲＡを使用した前記ランダムアクセス要求に対するランダムアクセス応答を検出することに失敗することと、
前記ＵＥによって、次の競合ベースのリソースにおいてＣＢＲＡを開始することと、ここにおいて、前記次の競合ベースのリソースは、前記ターゲット基地局の１つまたは複数の追加のビームにマッピングされる、
を行うように構成される、装置。
【請求項３６】
ワイヤレス通信のために構成された装置であって、前記装置は、
少なくとも１つのプロセッサと、
前記少なくとも１つのプロセッサに結合されたメモリと
を備え、ここにおいて、前記少なくとも１つのプロセッサは、
ユーザ機器（ＵＥ）において、ランダムアクセス構成を受信することと、ここにおいて、前記ランダムアクセス構成は、競合なしのランダムアクセス（ＣＦＲＡ）および競合ベースのランダムアクセス（ＣＢＲＡ）のための構成を含み、
前記ＵＥにおいて、第１のランダムアクセスリソースを決定することと、ここにおいて、前記第１のランダムアクセスリソースは、ターゲット基地局からの１つまたは複数のビームにマッピングされ、
前記第１のランダムアクセスリソースが競合なしのリソースであるとき、前記ＵＥによって、前記ＣＦＲＡを使用してランダムアクセス要求を開始することと、
前記第１のランダムアクセスリソースが競合ベースのリソースであるとき、前記ＵＥによって、前記ＣＢＲＡを使用して前記ランダムアクセス要求を開始することと
を行うように構成される、装置。
【請求項３７】
前記ＵＥによって、前記第１のランダムアクセスリソースに関連付けられたビーム品質を決定することと、
前記第１のランダムアクセスリソースが前記競合なしのリソースであり、かつ前記第１のランダムアクセスリソースの前記ビーム品質がしきい値ビーム品質を下回るとき、前記ＵＥによって、前記ＣＢＲＡを使用して前記ランダムアクセス要求を開始することと
を行うための前記少なくとも１つのプロセッサの構成をさらに含む、請求項３６に記載の装置。
【請求項３８】
前記ＵＥにおいて、前記ＣＦＲＡを使用した前記ランダムアクセス要求に対するランダムアクセス応答を受信することと、ここにおいて、前記ランダムアクセス応答は、次の競合ベースのリソースの後に位置する次のアップリンク送信機会を識別し、ここにおいて、前記次の競合ベースのリソースは、前記ターゲット基地局の１つまたは複数の追加のビームにマッピングされ、
前記ＵＥによって、前記次の競合ベースのリソースにおいてＣＢＲＡを開始することと
を行うための前記少なくとも１つのプロセッサの構成をさらに含む、請求項３６に記載の装置。
【請求項３９】
前記ＣＦＲＡを使用して前記ランダムアクセスを開始するための前記少なくとも１つのプロセッサの前記構成の後に、前記ＵＥによって、所定の時間期間より前に、前記ＣＦＲＡを使用した前記ランダムアクセス要求に対するランダムアクセス応答を検出することに失敗することと、
前記ＵＥによって、次の競合ベースのリソースにおいてＣＢＲＡを開始することと、ここにおいて、前記次の競合ベースのリソースは、前記ターゲット基地局の１つまたは複数の追加のビームにマッピングされる、
を行うための前記少なくとも１つのプロセッサの構成をさらに含む、請求項３６に記載の装置。
【請求項４０】
前記ＵＥによって、前記ＣＦＲＡを使用して前記ランダムアクセス要求を開始するための前記少なくとも１つのプロセッサの前記構成に加えて、競合ベースのランダムアクセスリソースにおいて、前記ＣＢＲＡを使用して別のランダムアクセス要求を開始すること、または
前記ＵＥによって、前記ＣＢＲＡを使用して前記ランダムアクセス要求を開始するための前記少なくとも１つのプロセッサの前記構成に加えて、競合なしのランダムアクセスリソースにおいて、前記ＣＦＲＡを使用して前記別のランダムアクセス要求を開始すること
のうちの１つを行うための前記少なくとも１つのプロセッサの構成をさらに含む、請求項３６に記載の装置。
【請求項４１】
前記ランダムアクセス構成は、前記ＵＥが、
前記ＣＦＲＡを使用して前記ランダムアクセス要求を開始するための前記少なくとも１つのプロセッサの前記構成、
前記ＣＢＲＡを使用して前記ランダムアクセス要求を開始するための前記少なくとも１つのプロセッサの前記構成、または
前記ＣＦＲＡおよび前記ＣＢＲＡの両方を使用して前記ランダムアクセス要求を開始するための前記少なくとも１つのプロセッサの構成
のうちの１つを実行するための識別をさらに含む、請求項３６に記載の装置。
【請求項４２】
前記ランダムアクセス構成は、前記ＵＥが、所定の優先度に従って、
前記ＣＦＲＡを使用して前記ランダムアクセス要求を開始するための前記少なくとも１つのプロセッサの前記構成、
前記ＣＢＲＡを使用して前記ランダムアクセス要求を開始するための前記少なくとも１つのプロセッサの前記構成、または
前記ＣＦＲＡおよび前記ＣＢＲＡの両方を使用して前記ランダムアクセス要求を開始するための前記少なくとも１つのプロセッサの構成
のうちの１つを実行するための識別をさらに含む、請求項３６に記載の装置。
【請求項４３】
ワイヤレス通信のために構成された装置であって、前記装置は、
少なくとも１つのプロセッサと、
前記少なくとも１つのプロセッサに結合されたメモリと
を備え、ここにおいて、前記少なくとも１つのプロセッサは、
ターゲット基地局において、競合なしのランダムアクセス（ＣＦＲＡ）のためにスケジュールされた１つまたは複数のビームにおいて、ＣＦＲＡプロシージャを使用するユーザ機器（ＵＥ）からのランダムアクセス要求を受信することと、
前記ターゲット基地局によって、アップリンク送信機会までの遅延を識別する、前記ＵＥへのランダムアクセス応答を送信することと、
前記ターゲット基地局によって、前記アップリンク送信機会より前に、前記ＵＥからの競合ベースのランダムアクセス（ＣＢＲＡ）要求を検出することと、
前記ターゲット基地局によって、ＣＦＲＡを使用する次のアップリンク送信機会についての前記遅延を低減させることと
を行うように構成される、装置。
【請求項４４】
ワイヤレス通信のために構成された装置であって、前記装置は、
少なくとも１つのプロセッサと、
前記少なくとも１つのプロセッサに結合されたメモリと
を備え、ここにおいて、前記少なくとも１つのプロセッサは、
ターゲット基地局において、ユーザ機器（ＵＥ）に関連付けられたハンドオーバ要求を受信することと、
前記ターゲット基地局によって、ランダムアクセス構成を含むハンドオーバコマンドを生成することと、ここにおいて、前記ランダムアクセス構成は、競合なしのランダムアクセス（ＣＦＲＡ）および競合ベースのランダムアクセス（ＣＢＲＡ）のための構成を含み、
前記ターゲット基地局によって、ＣＦＲＡのための１つまたは複数のビームと、ＣＢＲＡのための１つまたは複数の追加のビームとをスケジュールすることと、
前記ターゲット基地局によって、前記ＣＢＲＡのための１つまたは複数の追加のビームを使用して、前記ＵＥによるハンドオーバの開始を検出することと、
前記ターゲット基地局によって、前記ＣＦＲＡのための１つまたは複数のビームのスケジュールを解放することと
を行うように構成される、装置。
【発明の詳細な説明】
【関連出願の相互参照】
【０００１】
[0001]  本願は、２０１７年５月５日に出願された「UE SELECTION OF CONTENTION-FREE AND CONTENTION-BASED RANDOM ACCESS FOR HANDOVER」と題する米国仮特許出願第６２／５０２，１５９号、および２０１８年５月３日に出願された「UE SELECTION OF CONTENTION-FREE AND CONTENTION-BASED RANDOM ACCESS FOR HANDOVER」と題する米国非仮特許出願第１５／９７０，５５４号の利益を主張し、これら両方の開示は、それらの全体が、以下に完全に記載されているかのように、また全ての適用可能な目的のために、参照により本明細書に組み込まれる。
【技術分野】
【０００２】
[0002]  本開示の態様は、一般にワイヤレス通信システム（wireless communication system）に関し、より詳細には、ハンドオーバ処理（handover processing）のための競合なしのランダムアクセス（ＣＦＲＡ：contention-free random access）および競合ベースのランダムアクセス（ＣＢＲＡ：contention-based random access）のユーザ機器（ＵＥ：user equipment）による選択に関する。
【背景技術】
【０００３】
[0003]  ワイヤレス通信ネットワークは、音声、ビデオ、パケットデータ、メッセージング、ブロードキャスト、および同様のものなどの様々な通信サービスを提供するために広く展開されている。これらのワイヤレスネットワークは、利用可能なネットワークリソース（network resource）を共有することによって、複数のユーザをサポートすることが可能な多元接続ネットワークであり得る。通常は多元接続ネットワークであるこのようなネットワークは、利用可能なネットワークリソースを共有することによって、複数のユーザのための通信をサポートする。このようなネットワークの一例が、ユニバーサル地上無線アクセスネットワーク（ＵＴＲＡＮ）である。ＵＴＲＡＮは、第３世代パートナーシッププロジェクト（３ＧＰＰ（登録商標））によってサポートされる第３世代（３Ｇ）モバイル電話技術である、ユニバーサルモバイルテレコミュニケーションズシステム（ＵＭＴＳ）の一部として定義された無線アクセスネットワーク（ＲＡＮ）である。多元接続ネットワークフォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]  ワイヤレス通信ネットワークは、いくつかのユーザ機器（ＵＥ）のための通信をサポートし得るいくつかの基地局またはノードＢを含み得る。ＵＥは、ダウンリンクおよびアップリンクを介して基地局と通信し得る。ダウンリンク（すなわち、順方向リンク）は、基地局からＵＥへの通信リンクを指し、アップリンク（すなわち、逆方向リンク）は、ＵＥから基地局への通信リンクを指す。
【０００５】
[0005]  基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局（neighbor base station）からの送信、または他のワイヤレス無線周波数（ＲＦ）送信機からの送信による干渉に遭遇する場合がある。アップリンク上では、ＵＥからの送信は、ネイバー基地局と通信する他のＵＥのアップリンク送信からの干渉、または他のワイヤレスＲＦ送信機からの干渉に遭遇する場合がある。この干渉は、ダウンリンクとアップリンクの両方で性能を劣化させる場合がある。
【０００６】
[0006]  モバイルブロードバンドアクセスに対する需要が増加し続けるにつれて、より多くのＵＥが長距離ワイヤレス通信ネットワークにアクセスし、より多くの短距離ワイヤレスシステムがコミュニティにおいて展開されるようになるとともに、干渉および輻輳したネットワークの可能性が増大する。モバイルブロードバンドアクセスに対する増大する需要を満たすためだけでなく、モバイル通信のユーザエクスペリエンスを進化および向上させるためにも、ワイヤレス技術を進化させる研究および開発が続けられている。
【発明の概要】
【０００７】
[0007]  本開示の一態様では、ワイヤレス通信（wireless communication）の方法が、ＵＥにおいて、ランダムアクセス構成（random access configuration）を受信することと、ここにおいて、ランダムアクセス構成は、競合なしのランダムアクセス（ＣＦＲＡ）および競合ベースのランダムアクセス（ＣＢＲＡ）のための構成（configuration）を含み、ＵＥにおいて、第１のランダムアクセスリソース（first random access resource）を決定することと、ここにおいて、第１のランダムアクセスリソースは、ターゲット基地局（target base station）からの１つまたは複数のビーム（beam）にマッピング（map）され、ＵＥによって、第１のランダムアクセスリソースに関連付けられたビーム品質（beam quality）を決定することと、第１のランダムアクセスリソースが競合なしのリソース（contention-free resource）であり、かつ第１のランダムアクセスリソースのビーム品質がしきい値ビーム品質（threshold beam quality）を下回るとき、ＵＥによって、ＣＢＲＡを使用してランダムアクセス要求（random access request）を開始することとを含む。
【０００８】
[0008]  本開示の追加の態様では、ワイヤレス通信の方法が、ＵＥにおいて、ランダムアクセス構成を受信することと、ここにおいて、ランダムアクセス構成は、ＣＦＲＡおよびＣＢＲＡのための構成を含み、ＵＥにおいて、第１のランダムアクセスリソースを決定することと、ここにおいて、第１のランダムアクセスリソースは、ターゲット基地局からの１つまたは複数のビームにマッピングされ、第１のランダムアクセスリソースが競合なしのリソースであるとき、ＵＥによって、ＣＦＲＡを使用してランダムアクセス要求を開始することと、ＣＦＲＡを使用してランダムアクセスを開始した後、ＵＥによって、所定の時間期間（predetermined period of time）より前に、ＣＦＲＡを使用したランダムアクセス要求に対するランダムアクセス応答（random access response）を検出することに失敗することと、ＵＥによって、次の競合ベースのリソース（next contention-based resource）においてＣＢＲＡを開始することと、ここにおいて、次の競合ベースのリソースは、ターゲット基地局の１つまたは複数の追加のビーム（additional beam）にマッピングされる、を含む。
【０００９】
[0009]  本開示の追加の態様では、ワイヤレス通信の方法が、ＵＥにおいて、ランダムアクセス構成を受信することと、ここにおいて、ランダムアクセス構成は、ＣＦＲＡおよびＣＢＲＡのための構成を含み、ＵＥにおいて、第１のランダムアクセスリソースを検出することと、ここにおいて、第１のランダムアクセスリソースは、ターゲット基地局からの１つまたは複数のビームにマッピングされ、第１のランダムアクセスリソースが競合なしのリソースであるとき、ＵＥによって、ＣＦＲＡを使用してランダムアクセス要求を開始することと、第１のランダムアクセスリソースが競合ベースのリソースであるとき、ＵＥによって、ＣＢＲＡを使用してランダムアクセス要求を開始することとを含む。
【００１０】
[0010]  本開示の追加の態様では、ワイヤレス通信の方法が、ターゲット基地局において、ＣＦＲＡのためにスケジュールされた１つまたは複数のビームにおいて、ＣＦＲＡプロシージャ（procedure）を使用するＵＥからのランダムアクセス要求を受信することと、ターゲット基地局によって、アップリンク送信機会（uplink transmission opportunity）までの遅延（delay）を識別する、ＵＥへのランダムアクセス応答を送信することと、ターゲット基地局によって、アップリンク送信機会より前に、ＵＥからのＣＢＲＡ要求を検出することと、ターゲット基地局によって、ＣＦＲＡを使用する次のアップリンク送信機会（next uplink transmission opportunity）についての遅延を低減させることとを含む。
【００１１】
[0011]  本開示の追加の態様では、ワイヤレス通信の方法が、ターゲット基地局において、ＵＥに関連付けられたハンドオーバ要求（handover request）を受信することと、ターゲット基地局によって、ランダムアクセス構成を含むハンドオーバコマンド（handover command）を生成することと、ここにおいて、ランダムアクセス構成は、ＣＦＲＡおよびＣＢＲＡのための構成を含み、ターゲット基地局によって、ＣＦＲＡのための１つまたは複数のビームと、ＣＢＲＡのための１つまたは複数の追加のビームとをスケジュールすることと、ターゲット基地局によって、ＣＢＲＡのための１つまたは複数の追加のビームを使用して、ＵＥによるハンドオーバの開始（handover initiation）を検出することと、ターゲット基地局によって、ＣＦＲＡのための１つまたは複数のビームのスケジュールを解放する（release）こととを含む。
【００１２】
[0012]  本開示の追加の態様では、ワイヤレス通信のために構成された装置が、ＵＥにおいて、ランダムアクセス構成を受信するための手段と、ここにおいて、ランダムアクセス構成は、ＣＦＲＡおよびＣＢＲＡのための構成を含み、ＵＥにおいて、第１のランダムアクセスリソースを決定するための手段と、ここにおいて、第１のランダムアクセスリソースは、ターゲット基地局からの１つまたは複数のビームにマッピングされ、ＵＥによって、第１のランダムアクセスリソースに関連付けられたビーム品質を決定するための手段と、第１のランダムアクセスリソースが競合なしのリソースであり、かつ第１のランダムアクセスリソースのビーム品質がしきい値ビーム品質を下回るとき、ＵＥによって、ＣＢＲＡを使用してランダムアクセス要求を開始するための手段とを含む。
【００１３】
[0013]  本開示の追加の態様では、ワイヤレス通信のために構成された装置が、ＵＥにおいて、ランダムアクセス構成を受信するための手段と、ここにおいて、ランダムアクセス構成は、ＣＦＲＡおよびＣＢＲＡのための構成を含み、ＵＥにおいて、第１のランダムアクセスリソースを決定するための手段と、ここにおいて、第１のランダムアクセスリソースは、ターゲット基地局からの１つまたは複数のビームにマッピングされ、第１のランダムアクセスリソースが競合なしのリソースであるとき、ＵＥによって、ＣＦＲＡを使用してランダムアクセス要求を開始するための手段と、ＣＦＲＡを使用してランダムアクセスを開始するための手段の後、ＵＥによって、所定の時間期間より前に、ＣＦＲＡを使用したランダムアクセス要求に対するランダムアクセス応答を検出することに失敗するための手段と、ＵＥによって、次の競合ベースのリソースにおいてＣＢＲＡを開始するための手段と、ここにおいて、次の競合ベースのリソースは、ターゲット基地局の１つまたは複数の追加のビームにマッピングされる、を含む。
【００１４】
[0014]  本開示の追加の態様では、ワイヤレス通信のために構成された装置が、ＵＥにおいて、ランダムアクセス構成を受信するための手段と、ここにおいて、ランダムアクセス構成は、ＣＦＲＡおよびＣＢＲＡのための構成を含み、ＵＥにおいて、第１のランダムアクセスリソースを検出するための手段と、ここにおいて、第１のランダムアクセスリソースは、ターゲット基地局からの１つまたは複数のビームにマッピングされ、第１のランダムアクセスリソースが競合なしのリソースであるとき、ＵＥによって、ＣＦＲＡを使用してランダムアクセス要求を開始するための手段と、第１のランダムアクセスリソースが競合ベースのリソースであるとき、ＵＥによって、ＣＢＲＡを使用してランダムアクセス要求を開始するための手段とを含む。
【００１５】
[0015]  本開示の追加の態様では、ワイヤレス通信のために構成された装置が、ターゲット基地局において、ＣＦＲＡのためにスケジュールされた１つまたは複数のビームにおいて、ＣＦＲＡプロシージャを使用するＵＥからのランダムアクセス要求を受信するための手段と、ターゲット基地局によって、アップリンク送信機会までの遅延を識別する、ＵＥへのランダムアクセス応答を送信するための手段と、ターゲット基地局によって、アップリンク送信機会より前に、ＵＥからのＣＢＲＡ要求を検出するための手段と、ターゲット基地局によって、ＣＦＲＡを使用する次のアップリンク送信機会についての遅延を低減させるための手段とを含む。
【００１６】
[0016]  本開示の追加の態様では、ワイヤレス通信のために構成された装置が、ターゲット基地局において、ＵＥに関連付けられたハンドオーバ要求を受信するための手段と、ターゲット基地局によって、ランダムアクセス構成を含むハンドオーバコマンドを生成するための手段と、ここにおいて、ランダムアクセス構成は、ＣＦＲＡおよびＣＢＲＡのための構成を含み、ターゲット基地局によって、ＣＦＲＡのための１つまたは複数のビームと、ＣＢＲＡのための１つまたは複数の追加のビームとをスケジュールするための手段と、ターゲット基地局によって、ＣＢＲＡのための１つまたは複数の追加のビームを使用して、ＵＥによるハンドオーバの開始を検出するための手段と、ターゲット基地局によって、ＣＦＲＡのための１つまたは複数のビームのスケジュールを解放するための手段とを含む。
【００１７】
[0017]  本開示の追加の態様では、非一時的なコンピュータ可読媒体（non-transitory computer-readable medium）が、その上に記録されたプログラムコードを有する。プログラムコードは、ＵＥにおいて、ランダムアクセス構成を受信するためのコードと、ここにおいて、ランダムアクセス構成は、ＣＦＲＡおよびＣＢＲＡのための構成を含み、ＵＥにおいて、第１のランダムアクセスリソースを決定するためのコードと、ここにおいて、第１のランダムアクセスリソースは、ターゲット基地局からの１つまたは複数のビームにマッピングされ、ＵＥによって、第１のランダムアクセスリソースに関連付けられたビーム品質を決定するためのコードと、第１のランダムアクセスリソースが競合なしのリソースであり、かつ第１のランダムアクセスリソースのビーム品質がしきい値ビーム品質を下回るとき、ＵＥによって、ＣＢＲＡを使用してランダムアクセス要求を開始するためのコードとをさらに含む。
【００１８】
[0018]  本開示の追加の態様では、非一時的なコンピュータ可読媒体が、その上に記録されたプログラムコードを有する。プログラムコードは、ＵＥにおいて、ランダムアクセス構成を受信するためのコードと、ここにおいて、ランダムアクセス構成は、ＣＦＲＡおよびＣＢＲＡのための構成を含み、ＵＥにおいて、第１のランダムアクセスリソースを決定するためのコードと、ここにおいて、第１のランダムアクセスリソースは、ターゲット基地局からの１つまたは複数のビームにマッピングされ、第１のランダムアクセスリソースが競合なしのリソースであるとき、ＵＥによって、ＣＦＲＡを使用してランダムアクセス要求を開始するためのコードと、ＣＦＲＡを使用してランダムアクセスを開始するためのコードの実行後、ＵＥによって、所定の時間期間より前に、ＣＦＲＡを使用したランダムアクセス要求に対するランダムアクセス応答を検出することに失敗したと決定するためのコードと、ＵＥによって、次の競合ベースのリソースにおいてＣＢＲＡを開始するためのコードと、ここにおいて、次の競合ベースのリソースは、ターゲット基地局の１つまたは複数の追加のビームにマッピングされる、をさらに含む。
【００１９】
[0019]  本開示の追加の態様では、非一時的なコンピュータ可読媒体が、その上に記録されたプログラムコードを有する。プログラムコードは、ＵＥにおいて、ランダムアクセス構成を受信するためのコードと、ここにおいて、ランダムアクセス構成は、ＣＦＲＡおよびＣＢＲＡのための構成を含み、ＵＥにおいて、第１のランダムアクセスリソースを検出するためのコードと、ここにおいて、第１のランダムアクセスリソースは、ターゲット基地局からの１つまたは複数のビームにマッピングされ、第１のランダムアクセスリソースが競合なしのリソースであるとき、ＵＥによって、ＣＦＲＡを使用してランダムアクセス要求を開始するためのコードと、第１のランダムアクセスリソースが競合ベースのリソースであるとき、ＵＥによって、ＣＢＲＡを使用してランダムアクセス要求を開始するためのコードとをさらに含む。
【００２０】
[0020]  本開示の追加の態様では、非一時的なコンピュータ可読媒体が、その上に記録されたプログラムコードを有する。プログラムコードは、ターゲット基地局において、ＣＦＲＡのためにスケジュールされた１つまたは複数のビームにおいて、ＣＦＲＡプロシージャを使用するＵＥからのランダムアクセス要求を受信するためのコードと、ターゲット基地局によって、アップリンク送信機会までの遅延を識別する、ＵＥへのランダムアクセス応答を送信するためのコードと、ターゲット基地局によって、アップリンク送信機会より前に、ＵＥからのＣＢＲＡ要求を検出するためのコードと、ターゲット基地局によって、ＣＦＲＡを使用する次のアップリンク送信機会についての遅延を低減させるためのコードとをさらに含む。
【００２１】
[0021]  本開示の追加の態様では、非一時的なコンピュータ可読媒体が、その上に記録されたプログラムコードを有する。プログラムコードは、ターゲット基地局において、ＵＥに関連付けられたハンドオーバ要求を受信するためのコードと、ターゲット基地局によって、ランダムアクセス構成を含むハンドオーバコマンドを生成するためのコードと、ここにおいて、ランダムアクセス構成は、ＣＦＲＡおよびＣＢＲＡのための構成を含み、ターゲット基地局によって、ＣＦＲＡのための１つまたは複数のビームと、ＣＢＲＡのための１つまたは複数の追加のビームとをスケジュールするためのコードと、ターゲット基地局によって、ＣＢＲＡのための１つまたは複数の追加のビームを使用して、ＵＥによるハンドオーバの開始を検出するためのコードと、ターゲット基地局によって、ＣＦＲＡのための１つまたは複数のビームのスケジュールを解放するためのコードとをさらに含む。
【００２２】
[0022]  本開示の追加の態様では、ワイヤレス通信のために構成された装置が開示される。装置は、少なくとも１つプロセッサと、このプロセッサに結合されたメモリとを含む。プロセッサは、ＵＥにおいて、ランダムアクセス構成を受信することと、ここにおいて、ランダムアクセス構成は、ＣＦＲＡおよびＣＢＲＡのための構成を含み、ＵＥにおいて、第１のランダムアクセスリソースを決定することと、ここにおいて、第１のランダムアクセスリソースは、ターゲット基地局からの１つまたは複数のビームにマッピングされ、ＵＥによって、第１のランダムアクセスリソースに関連付けられたビーム品質を決定することと、第１のランダムアクセスリソースが競合なしのリソースであり、かつ第１のランダムアクセスリソースのビーム品質がしきい値ビーム品質を下回るとき、ＵＥによって、ＣＢＲＡを使用してランダムアクセス要求を開始することと行うように構成される。
【００２３】
[0023]  本開示の追加の態様では、ワイヤレス通信のために構成された装置が開示される。装置は、少なくとも１つプロセッサと、このプロセッサに結合されたメモリとを含む。プロセッサは、ＵＥにおいて、ランダムアクセス構成を受信することと、ここにおいて、ランダムアクセス構成は、ＣＦＲＡおよびＣＢＲＡのための構成を含み、ＵＥにおいて、第１のランダムアクセスリソースを決定することと、ここにおいて、第１のランダムアクセスリソースは、ターゲット基地局からの１つまたは複数のビームにマッピングされ、第１のランダムアクセスリソースが競合なしのリソースであるとき、ＵＥによって、ＣＦＲＡを使用してランダムアクセス要求を開始することと、ＣＦＲＡを使用してランダムアクセスを開始するための少なくとも１つのプロセッサの構成の実行後、ＵＥによって、所定の時間期間より前に、ＣＦＲＡを使用したランダムアクセス要求に対するランダムアクセス応答を検出することに失敗したと決定することと、ＵＥによって、次の競合ベースのリソースにおいてＣＢＲＡを開始することと、ここにおいて、次の競合ベースのリソースは、ターゲット基地局の１つまたは複数の追加のビームにマッピングされる、を行うように構成される。
【００２４】
[0024]  本開示の追加の態様では、ワイヤレス通信のために構成された装置が開示される。装置は、少なくとも１つプロセッサと、このプロセッサに結合されたメモリとを含む。プロセッサは、ＵＥにおいて、ランダムアクセス構成を受信することと、ここにおいて、ランダムアクセス構成は、ＣＦＲＡおよびＣＢＲＡのための構成を含み、ＵＥにおいて、第１のランダムアクセスリソースを検出することと、ここにおいて、第１のランダムアクセスリソースは、ターゲット基地局からの１つまたは複数のビームにマッピングされ、第１のランダムアクセスリソースが競合なしのリソースであるとき、ＵＥによって、ＣＦＲＡを使用してランダムアクセス要求を開始することと、第１のランダムアクセスリソースが競合ベースのリソースであるとき、ＵＥによって、ＣＢＲＡを使用してランダムアクセス要求を開始することとを行うように構成される。
【００２５】
[0025]  本開示の追加の態様では、ワイヤレス通信のために構成された装置が開示される。装置は、少なくとも１つプロセッサと、このプロセッサに結合されたメモリとを含む。プロセッサは、ターゲット基地局において、ＣＦＲＡのためにスケジュールされた１つまたは複数のビームにおいて、ＣＦＲＡプロシージャを使用するＵＥからのランダムアクセス要求を受信することと、ターゲット基地局によって、アップリンク送信機会までの遅延を識別する、ＵＥへのランダムアクセス応答を送信することと、ターゲット基地局によって、アップリンク送信機会より前に、ＵＥからのＣＢＲＡ要求を検出することと、ターゲット基地局によって、ＣＦＲＡを使用する次のアップリンク送信機会についての遅延を低減させることとを行うように構成される。
【００２６】
[0026]  本開示の追加の態様では、ワイヤレス通信のために構成された装置が開示される。装置は、少なくとも１つプロセッサと、このプロセッサに結合されたメモリとを含む。プロセッサは、ターゲット基地局において、ＵＥに関連付けられたハンドオーバ要求を受信することと、ターゲット基地局によって、ランダムアクセス構成を含むハンドオーバコマンドを生成することと、ここにおいて、ランダムアクセス構成は、ＣＦＲＡおよびＣＢＲＡのための構成を含み、ターゲット基地局によって、ＣＦＲＡのための１つまたは複数のビームと、ＣＢＲＡのための１つまたは複数の追加のビームとをスケジュールすることと、ターゲット基地局によって、ＣＢＲＡのための１つまたは複数の追加のビームを使用して、ＵＥによるハンドオーバの開始を検出することと、ターゲット基地局によって、ＣＦＲＡのための１つまたは複数のビームのスケジュールを解放することとを行うように構成される。
【００２７】
[0027]  上述のものは、以下の詳細な説明がより良く理解され得るように、本開示による例の特徴および技術的利点をどちらかと言えば広く概説している。追加の特徴および利点が以下に説明される。開示される概念および特定の例は、本開示と同じ目的を実行するための他の構造を修正または設計するための基礎として容易に利用され得る。このような同等の構造は、添付の特許請求の範囲の範囲から逸脱しない。本明細書で開示される概念の特性は、関連する利点とともに、それらの編成および動作の方法の両方について、添付の図面に関連して考慮されるとき、以下の説明からより良く理解されるであろう。図面の各々は、特許請求の範囲の限定の定義としてではなく、例示および説明を目的として提供される。
【図面の簡単な説明】
【００２８】
[0028]  本開示の本質および利点のさらなる理解が、以下の図面を参照することによって実現され得る。添付の図面では、同様の構成要素または特徴は、同じ参照ラベルを有し得る。さらに、同じタイプの様々な構成要素は、参照ラベルの後に、ダッシュと、同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちの任意の１つに適用可能である。
【図１】[0029]  図１は、ワイヤレス通信システムの詳細を例示するブロック図である。
【図２】[0030]  図２は、本開示の一態様に従って構成された基地局およびＵＥの設計を例示するブロック図である。
【図３】[0031]  図３は、指向性ワイヤレスビーム（directional wireless beam）を使用する基地局を含むワイヤレス通信システムを例示するブロック図である。
【図４】[0032]  図４は、本開示の一態様をインプリメントするために実行される例となるブロックを例示するブロック図である。
【図５】[0033]  図５は、本開示の一態様に従って構成されたＵＥ、ソース基地局、およびターゲット基地局を例示するブロック図である。
【図６】[0034]  図６は、本開示の一態様をインプリメントするために実行される例となるブロックを例示するブロック図である。
【図７】[0035]  図７は、本開示の一態様をインプリメントするために実行される例となるブロックを例示するブロック図である。
【図８】[0036]  図８は、本開示の一態様に従って構成された例となるＵＥを例示するブロック図である。
【図９】[0037]  図９は、本開示の一態様に従って構成された例となる基地局を例示するブロック図である。
【詳細な説明】
【００２９】
[0038]  添付の図面に関連して以下に示す詳細な説明は、様々な構成の説明として意図され、本開示の範囲を限定するようには意図されない。むしろ、詳細な説明は、本発明の主題の完全な理解を提供することを目的とした具体的な詳細を含む。これらの具体的な詳細は、あらゆる場合において必要とされるとは限らないことと、いくつかの事例では、周知の構造および構成要素は、提示を明確にするためにブロック図の形式で示されることとが当業者には明らかであろう。
【００３０】
[0039]  本開示は、一般に、ワイヤレス通信ネットワークとも呼ばれる、２つ以上のワイヤレス通信システム間の認可された共有アクセスを提供することまたはそれに参加することに関する。様々な実施形態では、技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥ（登録商標）ネットワーク、ＧＳＭ（登録商標）ネットワーク、第５世代（５Ｇ）または新無線（ＮＲ：New Radio）ネットワークなどのワイヤレス通信ネットワークのみならず、他の通信ネットワークのためにも使用され得る。本明細書で説明される場合、「ネットワーク」および「システム」という用語は、交換可能に用いられ得る。
【００３１】
[0040]  ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、フラッシュ−ＯＦＤＭ、および同様のものなどの無線技術をインプリメントし得る。ＵＴＲＡ、Ｅ−ＵＴＲＡ、およびモバイル通信のためのグローバルシステム（ＧＳＭ）は、ユニバーサルモバイルテレコミュニケーションシステム（ＵＭＴＳ）の一部である。特に、ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）という名称の団体から提供された文書に説明されており、ｃｄｍａ２０００は、「第３世代パートナーシッププロジェクト２」（３ＧＰＰ２）という名称の団体からの文書に説明されている。これらの様々な無線技術および規格は、既知であるか、開発中である。例えば、第３世代パートナーシッププロジェクト（３ＧＰＰ）は、グローバルに適用可能な第３世代（３Ｇ）モバイルフォン仕様を規定することを目的とした、電気通信協会のグループ間の共同研究である。３ＧＰＰロングタームエボリューション（ＬＴＥ）は、ユニバーサルモバイルテレコミュニケーションズシステム（ＵＭＴＳ）モバイルフォン規格を改善することを目的とした、３ＧＰＰプロジェクトである。３ＧＰＰは、次世代のモバイルネットワーク、モバイルシステム、およびモバイルデバイスのための仕様を規定し得る。本開示は、一連の新しい異なる無線アクセス技術または無線エアインターフェースを使用するネットワーク間のワイヤレススペクトルへの共有アクセスを伴う、ＬＴＥから、４Ｇ、５Ｇ、ＮＲ、およびその先へのワイヤレス技術の進化に関する。
【００３２】
[0041]  特に、５Ｇネットワークは、ＯＦＤＭベースの統合されたエアインターフェースを使用してインプリメントされ得る多様な展開、多様なスペクトル、ならびに多様なサービスおよびデバイスを企図する。これらの目標を達成するために、ＬＴＥおよびＬＴＥ−Ａに対するさらなる改良が、５Ｇ  ＮＲネットワークのための新無線技術の発展に加えて考慮される。５Ｇ  ＮＲは、（１）超高密度（例えば、約１００万個のノード／ｋｍ２）、超低複雑度（例えば、約数１０ビット／秒）、超低エネルギー（例えば、約１０年以上のバッテリ寿命）、および困難なロケーションに到達する能力を有するディープカバレッジ（deep coverage）を伴う、マッシブ（massive）モノのインターネット（ＩｏＴ：Internet of things）に対するカバレッジを提供するために、（２）慎重な扱いを要する個人情報、金融情報、または機密情報を保護するための強力なセキュリティ、超高信頼性（例えば、約９９．９９９９％の信頼性）、超低レイテンシ（ultra-low latency）（例えば、約１ｍｓ）、および広範囲にわたるモビリティを有するかまたはそれを欠くユーザを伴う、ミッションクリティカルな制御を含むカバレッジを提供するために、および（３）極めて高い容量（例えば、約１０Ｔｂｐｓ／ｋｍ２）、極めて高いデータレート（例えば、マルチＧｂｐｓレート、１００Ｍｂｐｓ以上のユーザエクスペリエンスレート）、および高度な発見と最適化を伴うディープアウェアネス（deep awareness）を含む、拡張型モバイルブロードバンドを用いてカバレッジを提供するために、スケーリングすることが可能となる。
【００３３】
[0042]  ５Ｇ  ＮＲは、スケーラブルなニューメロロジー（scalable numerology）および送信時間間隔（ＴＴＩ：transmission time interval）を有する最適化されたＯＦＤＭベースの波形を使用するためにインプリメントされ得、動的な低レイテンシ時分割複信（ＴＤＤ）／周波数分割複信（ＦＤＤ）設計でのサービスおよび特徴を効率的に多重化するための共通の柔軟なフレームワークを有し、マッシブ多入力多出力（ＭＩＭＯ）、ロバスト（robust）なミリメートル波（ｍｍＷａｖｅ）送信、高度なチャネルコーディング、およびデバイスセントリックモビリティ（device-centric mobility）などの、高度なワイヤレス技術を伴う。サブキャリア間隔（subcarrier spacing）のスケーリングを伴う、５Ｇ  ＮＲにおけるニューメロロジーのスケーラビリティ（scalability）は、多様なスペクトルおよび多様な展開にわたる多様なサービスの運用（operating）に効率的に対処し得る。例えば、３ＧＨｚ未満のＦＤＤ／ＴＤＤインプリメンテーションの様々な屋外およびマクロカバレッジ展開では、サブキャリア間隔は、例えば、１、５、１０、２０ＭＨｚなどの帯域幅にわたって（over）、１５ｋＨｚで生じ得る。３ＧＨｚより大きいＴＤＤの他の様々な屋外およびスモールセルカバレッジ展開の場合、サブキャリア間隔は、８０／１００ＭＨｚの帯域幅にわたって、３０ｋＨｚで生じ得る。５ＧＨｚ帯域のアンライセンス部分にわたってＴＤＤを使用する他の様々な屋内広帯域インプリメンテーションの場合、サブキャリア間隔は、１６０ＭＨｚの帯域幅にわたって、６０ｋＨｚで生じ得る。最後に、２８ＧＨｚのＴＤＤにおいてｍｍＷａｖｅコンポーネント（components）を用いて送信する様々な展開の場合、サブキャリア間隔は、５００ＭＨｚの帯域幅にわたって、１２０ｋＨｚで生じ得る。
【００３４】
[0043]  ５Ｇ  ＮＲのスケーラブルなニューメロロジーは、多様なレイテンシおよびサービス品質（ＱｏＳ）要件に対するスケーラブルなＴＴＩを容易にする。例えば、より短いＴＴＩは、低レイテンシおよび高信頼性のために使用され得、一方、より長いＴＴＩは、より高いスペクトル効率のために使用され得る。長いＴＴＩと短いＴＴＩの効率的な多重化は、送信がシンボル境界上で始まることを可能にする。５Ｇ  ＮＲはまた、同じサブフレーム中にアップリンク／ダウンリンクスケジューリング情報、データ、および確認応答を有する、自己完結型の統合サブフレーム設計（self-contained integrated subframe design）を企図する。自己完結型の統合サブフレームは、現在のトラフィックニーズを満たすためにアップリンクとダウンリンクの間で動的に切り替わるように、セルごとに柔軟に構成され得る適応型アップリンク／ダウンリンクである、アンライセンスまたは競合ベースの共有スペクトル（unlicensed or contention-based shared spectrum）における通信をサポートする。
【００３５】
[0044]  本開示の様々な他の態様および特徴が、以下でさらに詳細に説明される。本明細書での教示が多種多様な形態で具現化され得ること、および本明細書で開示されている任意の特定の構造、機能、または両方は、代表的であるにすぎず、限定するものではないことが明らかであるべきである。本明細書での教示に基づいて、当業者は、本明細書で開示される態様がその他任意の態様とは独立してインプリメントされ得ること、およびこれらの態様のうちの２つ以上が様々な方法で組み合わされ得ることを理解すべきである。例えば、本明細書に示される任意の数の態様を使用して、装置がインプリメントされ得、または方法が実施され得る。加えて、本明細書に示される態様のうちの１つまたは複数に加えて、あるいはそれら以外の他の構造、機能、または構造と機能を使用して、そのような装置がインプリメントされ得、またはそのような方法が実施され得る。例えば、方法は、システム、デバイス、装置の一部として、および／またはプロセッサまたはコンピュータ上での実行のために、コンピュータ可読媒体上に記憶された命令として、インプリメントされ得る。さらに、一態様は、請求項の少なくとも１つの要素を備え得る。
【００３６】
[0045]  図１は、本開示の態様に従って構成された様々な基地局およびＵＥを含む、５Ｇネットワーク１００を例示するブロック図である。５Ｇネットワーク１００は、いくつかの基地局１０５と他のネットワークエンティティとを含む。基地局は、ＵＥと通信する局であり得、発展型ノードＢ（ｅＮＢ）、次世代ｅＮＢ（ｇＮＢ）、アクセスポイントなどとも呼ばれ得る。各基地局１０５は、特定の地理的エリアに通信カバレッジを提供し得る。３ＧＰＰでは、「セル」という用語は、この用語が使用されるコンテキストに応じて、カバレッジエリアにサービス提供する基地局および／または基地局サブシステムのこの特定の地理的カバレッジエリアを指し得る。
【００３７】
[0046]  基地局は、マクロセル、またはピコセルもしくはフェムトセルなどのスモールセル、および／または他のタイプのセルに通信カバレッジを提供し得る。マクロセルは、一般に、比較的大きい地理的エリア（例えば、半径数キロメートル）をカバーし、ネットワークプロバイダにサービス加入しているＵＥによる無制限のアクセスを可能にし得る。ピコセルなどのスモールセルは、一般に、比較的小さい地理的エリアをカバーすることになり、ネットワークプロバイダにサービスに加入しているＵＥによる無制限のアクセスを可能にし得る。フェムトセルなどのスモールセルもまた、一般に、比較的小さい地理的エリア（例えば、自宅）をカバーすることになり、無制限のアクセスに加えて、フェムトセルとの関連付けを有するＵＥ（例えば、限定加入者グループ（ＣＳＧ）中のＵＥ、自宅内のユーザのためのＵＥなど）による制限付きアクセスも提供し得る。マクロセルのための基地局は、マクロ基地局と呼ばれ得る。スモールセルのための基地局は、スモールセル基地局、ピコ基地局、フェムト基地局またはホーム基地局と呼ばれ得る。図１に示される例では、基地局１０５ｄおよび１０５ｅは、通常のマクロ基地局であり、一方、基地局１０５ａ〜１０５ｃは、３次元（３Ｄ）、全次元（ＦＤ：Full Dimension）、またはマッシブＭＩＭＯのうちの１つに対応可能なマクロ基地局である。基地局１０５ａ〜１０５ｃは、カバレッジおよび容量を増大させるために仰角と方位角の両方のビームフォーミングで３Ｄビームフォーミングを活用するために、それらのより高い次元のＭＩＭＯ能力を利用する。基地局１０５ｆは、ホームノードまたはポータブルアクセスポイントであり得るスモールセル基地局である。基地局は、１つまたは複数（例えば、２つ、３つ、４つなど）のセルをサポートし得る。
【００３８】
[0047]  ５Ｇネットワーク１００は、同期または非同期動作をサポートし得る。同期動作の場合、複数の基地局は、同様のフレームタイミングを有し得、異なる基地局からの送信は、ほぼ時間的に揃えられ得る。非同期動作の場合、複数の基地局は、異なるフレームタイミングを有し得、異なる基地局からの送信は、時間的に揃えられていない場合がある。
【００３９】
[0048]  ＵＥ１１５は、ワイヤレスネットワーク１００全体にわたって分散され、各ＵＥは、固定またはモバイルであり得る。ＵＥは、端末、モバイル局、加入者ユニット、局などとも呼ばれ得る。ＵＥは、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、などであり得る。一態様では、ＵＥは、ユニバーサル集積回路カード（ＵＩＣＣ：Universal Integrated Circuit Card）を含むデバイスであり得る。別の態様では、ＵＥは、ＵＩＣＣを含まないデバイスであり得る。いくつかの態様では、ＵＩＣＣを含まないＵＥは、全てのインターネット（ＩｏＥ：internet of everything）デバイスとも呼ばれ得る。ＵＥ１１５ａ〜１１５ｄは、５Ｇネットワーク１００にアクセスしているモバイルスマートフォン型デバイスの例である。ＵＥはまた、マシンタイプ通信（ＭＴＣ：machine type communication）、拡張型ＭＴＣ（ｅＭＴＣ：enhanced MTC）、狭帯域ＩｏＴ（ＮＢ−ＩｏＴ）などを含む、特に接続された通信のために構成された機械であり得る。ＵＥ１１５ｅ〜１１５ｋは、５Ｇネットワーク１００にアクセスする通信のために構成された様々な機械の例である。ＵＥは、マクロ基地局、スモールセル、または同様のものであるかにかかわらず、任意のタイプの基地局と通信することが可能であり得る。図１では、稲妻（lightning bolt）（例えば、通信リンク）は、ＵＥと、ダウンリンクおよび／またはアップリンク上でＵＥにサービス提供するように指定された基地局であるサービング基地局との間のワイヤレス送信を示し、あるいは、基地局間の所望の送信、および基地局間のバックホール送信（backhaul transmission）を示す。
【００４０】
[0049]  ５Ｇネットワーク１００において動作中、基地局１０５ａ〜１０５ｃは、多地点協調（ＣｏＭＰ：coordinated multipoint）またはマルチ接続などの、協調空間技法および３Ｄビームフォーミングを使用して、ＵＥ１１５ａおよび１１５ｂにサービス提供する。マクロ基地局１０５ｄは、基地局１０５ａ〜１０５ｃ、ならびにスモールセル基地局１０５ｆとのバックホール通信を実行する。マクロ基地局１０５ｄはまた、ＵＥ１１５ｃおよび１１５ｄがそれに加入しておりかつＵＥ１１５ｃおよび１１５ｄによって受信される、マルチキャストサービスを送信する。このようなマルチキャストサービスは、モバイルテレビジョンまたはストリームビデオを含み得、あるいは、気象緊急事態などのコミュニティ情報、またはアンバーアラート（Amber alert）もしくはグレーアラート（gray alert）などの警報を提供するための他のサービスを含み得る。
【００４１】
[0050]  ５Ｇネットワーク１００はまた、ドローン（drone）であるＵＥ１１５ｅなどのミッションクリティカルなデバイスのための極めて信頼性が高く冗長なリンクでのミッションクリティカルな通信をサポートする。ＵＥ１１５ｅとの冗長な通信リンクは、マクロ基地局１０５ｄおよび１０５ｅ、ならびにスモールセル基地局１０５ｆからのものを含む。ＵＥ１１５ｆ（温度計）、ＵＥ１１５ｇ（スマートメータ）、およびＵＥ１１５ｈ（ウェアラブルデバイス）などの他のマシンタイプデバイスは、スモールセル基地局１０５ｆおよびマクロ基地局１０５ｅなどの基地局と直接的に、または、ＵＥ１１５ｆがスマートメータであるＵＥ１１５ｇに温度測定情報を通信し、その後、それがスモールセル基地局１０５ｆを通じてネットワークに報告されるといったように、その情報をネットワークに中継する別のユーザデバイスと通信することによるマルチホップ構成においてのいずれかで、５Ｇネットワーク１００を通じて通信し得る。５Ｇネットワーク１００はまた、マクロ基地局１０５ｅと通信するＵＥ１１５ｉ〜１１５ｋ間の車車間（Ｖ２Ｖ：vehicle-to-vehicle）メッシュネットワークでのように、動的な低レイテンシＴＤＤ／ＦＤＤ通信を通じて、さらなるネットワーク効率を提供し得る。
【００４２】
[0051]  図２は、図１の基地局のうちの１つおよびＵＥのうちの１つであり得る、基地局１０５およびＵＥ１１５の設計のブロック図を示す。基地局１０５において、送信プロセッサ２２０は、データソース２１２からデータおよびコントローラ／プロセッサ２４０から制御情報を受信し得る。制御情報は、ＰＢＣＨ、ＰＣＦＩＣＨ、ＰＨＩＣＨ、ＰＤＣＣＨ、ＥＰＤＣＣＨ、ＭＰＤＣＣＨ、等のためのものであり得る。データは、ＰＤＳＣＨ、等のためのものであり得る。送信プロセッサ２２０は、データおよび制御情報を処理（例えば、符号化およびシンボルマッピング）して、それぞれ、データシンボルおよび制御シンボルを取得し得る。送信プロセッサ２２０はまた、例えば、ＰＳＳ、ＳＳＳ、およびセル固有基準信号のための、基準シンボルを生成し得る。送信（ＴＸ）多入力多出力（ＭＩＭＯ）プロセッサ２３０は、適用可能な場合、データシンボル、制御シンボル、および／または基準シンボルに対して空間処理（例えば、プリコーディング）を実行し得、変調器（ＭＯＤ）２３２ａ〜２３２ｔに出力シンボルストリームを供給し得る。各変調器２３２は、（例えば、ＯＦＤＭ、等のために）それぞれの出力シンボルストリームを処理して、出力サンプルストリームを取得し得る。各変調器２３２は、出力サンプルストリームをさらに処理（例えば、アナログ変換、増幅、フィルタリング、およびアップコンバート）して、ダウンリンク信号を取得し得る。変調器２３２ａ〜２３２ｔからのダウンリンク信号は、それぞれ、アンテナ２３４ａ〜２３４ｔを介して送信され得る。
【００４３】
[0052]  ＵＥ１１５において、アンテナ２５２ａ〜２５２ｒは、基地局１０５からダウンリンク信号を受信し得、受信された信号を、それぞれ、復調器（ＤＥＭＯＤ）２５４ａ〜２５４ｒに供給し得る。各復調器２５４は、それぞれの受信された信号を調整（例えば、フィルタリング、増幅、ダウンコンバート、およびデジタル化）して、入力サンプルを取得し得る。各復調器２５４は、（例えば、ＯＦＤＭ、等のために）入力サンプルをさらに処理して、受信されたシンボルを取得し得る。ＭＩＭＯ検出器２５６は、全ての復調器２５４ａ〜２５４ｒから、受信されたシンボルを取得し、適用可能な場合、受信されたシンボルに対してＭＩＭＯ検出を実行し、検出されたシンボルを供給し得る。受信プロセッサ２５８は、検出されたシンボルを処理（例えば、復調、デインターリーブ、および復号）し、ＵＥ１１５のための復号されたデータをデータシンク２６０に供給し、復号された制御情報をコントローラ／プロセッサ２８０に供給し得る。
【００４４】
[0053]  アップリンク上では、ＵＥ１１５において、送信プロセッサ２６４は、データソース２６２からの（例えば、ＰＵＳＣＨのための）データと、コントローラ／プロセッサ２８０からの（例えば、ＰＵＣＣＨのための）制御情報とを受け取りおよび処理し得る。送信プロセッサ２６４はまた、基準信号のための基準シンボルを生成し得る。送信プロセッサ２６４からのシンボルは、適用可能な場合、ＴＸ  ＭＩＭＯプロセッサ２６６によってプリコーディングされ、（例えば、ＳＣ−ＦＤＭ、等のために）変調器２５４ａ〜２５４ｒによってさらに処理され、基地局１０５に送信され得る。基地局１０５において、ＵＥ１１５からのアップリンク信号は、アンテナ２３４によって受信され、復調器２３２によって処理され、適用可能な場合、ＭＩＭＯ検出器２３６によって検出され、受信プロセッサ２３８によってさらに処理されて、ＵＥ１１５によって送られた、復号されたデータおよび制御情報を取得し得る。プロセッサ２３８は、復号されたデータをデータシンク２３９に供給し、復号された制御情報をコントローラ／プロセッサ２４０に供給し得る。
【００４５】
[0054]  コントローラ／プロセッサ２４０および２８０は、それぞれ、基地局１０５およびＵＥ１１５における動作を指示し得る。基地局１０５におけるコントローラ／プロセッサ２４０および／または他のプロセッサおよびモジュールは、本明細書で説明される技法のための様々なプロセスの実行を指示または実行し得る。ＵＥ１１５におけるコントローラ／プロセッサ２８０および／または他のプロセッサおよびモジュールもまた、図４、図６、および図７に例示される機能ブロック、および／または本明細書で説明される技法のための他のプロセスの実行を指示または実行し得る。メモリ２４２および２８２は、それぞれ、基地局１０５およびＵＥ１１５のためのデータおよびプログラムコードを記憶し得る。スケジューラ２４４は、ダウンリンクおよび／またはアップリンク上でのデータ送信のためにＵＥをスケジュールし得る。
【００４６】
[0055]  異なるネットワークオペレーティングエンティティ（network operating entity）（例えば、ネットワーク事業者）によって動作させられるワイヤレス通信システムは、スペクトルを共有し得る。いくつかの事例では、ネットワークオペレーティングエンティティは、別のネットワークオペレーティングエンティティが異なる時間期間にわたって指定された共有スペクトル全体を使用する前に、少なくともある時間期間にわたって指定された共有スペクトル全体を使用するように構成され得る。したがって、ネットワークオペレーティングエンティティが全（full）指定された共有スペクトルを使用することを可能にするために、および異なるネットワークオペレーティングエンティティ間の干渉する通信を緩和するために、ある特定のリソース（例えば、時間）が区分され、ある特定のタイプの通信のための異なるネットワークオペレーティングエンティティに割り振られ得る。
【００４７】
[0056]  例えば、ネットワークオペレーティングエンティティは、共有スペクトルの全体を使用するネットワークオペレーティングエンティティによる排他的な通信のためにリザーブされたある特定の時間リソースを割り振られ得る。ネットワークオペレーティングエンティティはまた、このエンティティが、共有スペクトルを使用して通信するために、他のネットワークオペレーティングエンティティより優先される、他の時間リソースを割り振られ得る。ネットワークオペレーティングエンティティによる使用のために優先されるこれらの時間リソースは、優先されるネットワークオペレーティングエンティティがそのリソースを利用しない場合、日和見ベース（Opportunistic Basis）で他のネットワークオペレーティングエンティティによって利用され得る。追加の時間リソースは、任意のネットワーク事業者が日和見ベースで使用するために割り振られ得る。
【００４８】
[0057]  共有スペクトルへのアクセスおよび異なるネットワークオペレーティングエンティティ間での時間リソースの調停（arbitration）は、別個のエンティティによって中央制御されるか、所定の調停スキームによって自律的に決定されるか、またはネットワーク事業者のワイヤレスノード間のインタラクション（interaction）に基づいて動的に決定され得る。
【００４９】
[0058]  いくつかのケースでは、ＵＥ１１５および基地局１０５は、共有無線周波数スペクトル帯域において動作し得、これは、ライセンスまたはアンライセンス（例えば、競合ベース）の周波数スペクトルを含み得る。共有無線周波数スペクトル帯域のアンライセンス周波数部分では、ＵＥ１１５または基地局１０５は、従来どおり、媒体感知プロシージャ（medium-sensing procedure）を実行して、周波数スペクトルへのアクセスを競合し得る。例えば、ＵＥ１１５または基地局１０５は、共有チャネルが利用可能であるかどうかを決定するために、通信する前に、空きチャネル判定（ＣＣＡ：clear channel assessment）などのリッスンビフォアトーク（ＬＢＴ）プロシージャを実行し得る。ＣＣＡは、任意の他のアクティブな送信が存在するかどうかを決定するためのエネルギー検出プロシージャを含み得る。例えば、デバイスは、電力メータの受信信号強度インジケータ（ＲＳＳＩ：received signal strength indicator）における変化が、チャネルが占有されていることを示すと推論（infer）し得る。具体的には、ある特定の帯域幅に集中し、所定のノイズフロアを超える信号電力は、別のワイヤレス送信機を示し得る。ＣＣＡはまた、チャネルの使用を示す特定のシーケンスの検出を含み得る。例えば、別のデバイスは、データシーケンスを送信する前に、特定のプリアンブルを送信し得る。いくつかのケースでは、ＬＢＴプロシージャは、衝突用のプロキシとして、それ自体の送信されたパケットに対する肯定応答／否定応答（ＡＣＫ／ＮＡＣＫ）フィードバックおよび／またはチャネル上で検出されたエネルギー量に基づいて、それ自体のバックオフウィンドウ（backoff window）を調整するワイヤレスノードを含み得る。
【００５０】
[0059]  アンライセンス共有スペクトル（unlicensed shared spectrum）へのアクセスを競合するための媒体感知プロシージャの使用は、通信の非効率をもたらす場合がある。これは、複数のネットワークオペレーティングエンティティ（例えば、ネットワーク事業者）が共有リソースにアクセスしようと試みるとき、特に顕著であり得る。５Ｇネットワーク１００では、基地局１０５およびＵＥ１１５は、同じまたは異なるネットワークオペレーティングエンティティによって動作させられ得る。いくつかの例では、個々の基地局１０５またはＵＥ１１５は、１つより多くのネットワークオペレーティングエンティティによって動作させられ得る。他の例では、各基地局１０５およびＵＥ１１５は、単一のネットワークオペレーティングエンティティによって動作させられ得る。異なるネットワークオペレーティングエンティティの各基地局１０５およびＵＥ１１５が共有リソースを競合することを必要とすることは、増大されたシグナリングオーバヘッド（signaling overhead）および通信レイテンシ（communication latency）をもたらす場合がある。
【００５１】
[0060]  図３は、指向性ワイヤレスビームを使用する基地局を含むワイヤレス通信システム３００を例示するブロック図である。ワイヤレス通信システム３００は、図１を参照して説明されたワイヤレス通信システム１００の例であり得る。ワイヤレス通信システム３００は、サービング基地局１０５ａとターゲット基地局１０５ｂとを含む。カバレッジエリア３１５、３２０は、それらのそれぞれの基地局１０５ａ、１０５ｂのために定義され得る。サービング基地局１０５ａおよびターゲット基地局１０５ｂは、図１を参照して説明された基地局１０５の例であり得る。したがって、基地局１０５ａ、１０５ｂの特徴は、基地局１０５のものと同様であり得る。
【００５２】
[0061]  サービング基地局１０５ａおよびターゲット基地局１０５ｂは、バックホールリンク３２５を介して通信し得る。バックホールリンク３２５は、ワイヤードバックホールリンクまたはワイヤレスバックホールリンクであり得る。バックホールリンク３２５は、サービング基地局１０５ａとターゲット基地局１０５ｂとの間でデータおよび他の情報を通信するように構成され得る。バックホールリンク３２５は、図１を参照して説明されたバックホールリンク１３４の例であり得る。
【００５３】
[0062]  サービング基地局１０５ａは、ＵＥ１１５ａとの通信リンク３３０を確立し得る。通信リンク３３０は、図１を参照して説明された通信リンク１２５の例であり得る。ワイヤレス通信システム３００におけるＵＥの１つの特性は、ＵＥ１１５ａなどのＵＥがモバイルであり得ることである。ＵＥは、ワイヤレス通信システム３００においてそれらの地球物理学的ロケーションを変更し得るので、接続性を維持するために、ＵＥ１１５ａは、サービング基地局１０５ａとのその接続を終了させ、ターゲット基地局１０５ｂとの新しい接続を確立することを所望し得る。例えば、ＵＥ１１５ａが移動するにつれて、ＵＥ１１５ａは、サービング基地局１０５ａのカバレッジエリア３１５の限界（limit）に接近し得る。しかしながら、同時に、ＵＥ１１５ａは、ターゲット基地局１０５ｂのカバレッジエリア３２０内を通過した可能性がある。いくつかの例では、ＵＥ１１５ａは、ＵＥ１１５ａのそのモビリティパラメータ３３５を決定し得る。モビリティパラメータ３３５は、ＵＥ１１５ａが特定のロケーションにあること、特定の方向に移動していること、特定の速度にあること、ＵＥ１１５ａのモビリティに関連する他の情報、またはこれらの任意の組合せを示し得る。ＵＥ１１５ａがサービング基地局１０５ａのカバレッジエリア３１５の限界に接近すると、サービング基地局１０５ａとターゲット基地局１０５ｂとの間のＵＥ１１５ａのハンドオーバプロシージャ（handover procedure）が開始され得る。
【００５４】
[0063]  新無線（ＮＲ）のいくつかの例では、ターゲット基地局１０５ｂは、指向性ワイヤレス通信リンク３４０（指向性ワイヤレスビームまたは指向性ビームと呼ばれることもある）を介してＵＥ１１５ａと通信し得る。指向性ワイヤレス通信リンク３４０は、特定の方向に向けられ、ターゲット基地局１０５ｂとＵＥ１１５ａとの間に高帯域幅リンクを提供し得る。ビームフォーミングなどの信号処理技法が、エネルギーをコヒーレントに結合し、それによって、指向性ワイヤレス通信リンク３４０を形成するために使用され得る。ビームフォーミングを通じて得られるワイヤレス通信リンクは、高指向性である狭いビーム（例えば、「ペンシルビーム（）」）に関連付けられ、リンク間干渉を最小限に抑え、ワイヤレスノード（例えば、基地局、アクセスノード、ＵＥ等）間に高帯域幅リンクを提供し得る。いくつかの例では、ターゲット基地局３１０は、例えば、２８ＧＨｚ、４０ＧＨｚ、６０ＧＨｚ、等のミリメートル波（ｍｍＷａｖｅ）周波数範囲で動作し得る。いくつかの例では、指向性ワイヤレス通信リンク３４０は、６ＧＨｚより大きい周波数を使用して送信される。これらの周波数でのワイヤレス通信は、信号減衰の増大、例えば、経路損失に関連付けられ得、これは、温度、気圧、回折、等のような、様々な要因によって影響され得る。動的なビームステアリングおよびビーム探索能力は、例えば、動的なシャドーイングおよびレイリーフェージング（Rayleigh fading）の存在下で、発見、リンク確立、およびビーム微調整をさらにサポートし得る。加えて、このようなｍｍＷａｖｅシステムでの通信は、時分割多重化され得、ここで、送信は、送信された信号の指向性（directionality）により、一度に（at a time）１つのワイヤレスデバイスにのみ向けられ得る。
【００５５】
[0064]  各指向性ワイヤレス通信リンク３４０は、ビーム幅（beam width）３４５を有し得る。各指向性ワイヤレス通信リンク３４０についてのビーム幅３４５は、異なり得る（例えば、指向性ワイヤレス通信リンク３４０−ａのビーム幅３４５−ａを、指向性ワイヤレス通信リンク３４０−ｃのビーム幅３４５−ｃと比較する）。ビーム幅３４５は、指向性ワイヤレス通信リンク３４０を生成するために使用されるフェーズドアレイアンテナのサイズに関連し得る。異なるビーム幅３４５が、異なるシナリオにおいて、ターゲット基地局３１０によって使用され得る。例えば、第１のメッセージは、第１のビーム幅を有する指向性ワイヤレスビームを使用して送信／受信され得、一方、第２のメッセージは、第１のビーム幅とは異なる第２のビーム幅を有する指向性ワイヤレスビームを使用して送信／受信され得る。ターゲット基地局１０５ｂは、任意の数の指向性ワイヤレス通信リンク３４０（例えば、指向性ワイヤレス通信リンク３４０−Ｎ）を生成し得る。ターゲット基地局１０５ｂによって生成される指向性ワイヤレス通信リンク３４０は、任意の地理的ロケーションに向けられ得る。
【００５６】
[0065]  ＵＥ１１５ａがワイヤレス通信システム３００内を移動するにつれて、ＵＥ１１５ａは、特定の指向性ワイヤレス通信リンク（例えば、指向性ワイヤレス通信リンク３４０−ａを参照）の有効範囲外に移動し得る。指向性ワイヤレス通信リンク３４０の狭いビーム幅３４５のために、指向性ワイヤレス通信リンク３４０は、小さい地理的エリアにカバレッジを提供し得る。対照的に、無指向性ワイヤレス通信リンクは、全方向にエネルギーを放射し、広い地理的エリアをカバーする。
【００５７】
[0066]  ターゲット基地局１０５ｂが、ＵＥ１１５ａとの通信リンクを確立するために指向性ワイヤレス通信リンク３４０を使用するとき、これは、ハンドオーバプロシージャをさらに複雑にする場合がある。いくつかの例では、本明細書で説明されるハンドオーバプロシージャは、非競合ハンドオーバプロシージャ（non-contention handover procedure）である。ハンドオーバプロシージャ中に交換される制御メッセージは、送信と受信の間にレイテンシ（latency）を有する場合がある。したがって、ターゲット基地局１０５ｂがＵＥ１１５ａにリソースを割り当てるときと、ＵＥ１１５ａがそれらの割り当てられたリソースを使用して動作を実行し得るときとの間には、時間の遅延が存在し得る。いくつかの例では、ハンドオーバプロシージャは、数十ミリ秒から数百ミリ秒に及ぶレイテンシを有する場合がある。ＵＥのモビリティ、回転、または信号の遮断により、指向性ワイヤレス通信リンク３４０のチャネル特性は、経時的に変化し得る。特に、割り当てられた指向性ワイヤレス通信リンク３４０のチャネル特性は、ハンドオーバプロシージャの遅延中に変化し得る。単一のリソース（例えば、単一の指向性ワイヤレス通信リンク３４０）がハンドオーバプロシージャ中に割り当てられている場合、ハンドオーバプロシージャは、プロセスの後の方での不十分な信号により失敗し得る。したがって、ハンドオーバプロシージャは、ハンドオーバプロシージャ中にターゲット基地局１０５ｂとＵＥ１１５ａとの間の通信リンクを確立するために使用され得る複数の指向性ワイヤレスビームを考慮して調整され得る。
【００５８】
[0067]  ｍｍＷａｖｅシステムに特有の課題のうちの１つが、複数の狭いビームとともに生じる高い経路損失（high path loss）に適合する（accommodating）ことである。このような高い経路損失に対処するための１つの提案されている動作が、ハイブリッドビームフォーミング（hybrid beamforming）（例えば、アナログビームフォーミグとデジタルビームフォーミングとのハイブリッド）などの技法を中心に展開し、これは、一般に３Ｇおよび４Ｇ通信システムに関してはインプリメントされていない。ハイブリッドビームフォーミングは、リンクバジェット（link budget）／ＳＮＲを向上させ得るユーザに向けられた狭いビームパターン（narrow beam pattern）を作成する。
【００５９】
[0068]  接続モードのハンドオーバでは、基地局は、様々な無線状態に基づいてハンドオーバプロシージャをトリガする。基地局は、それに基づいてハンドオーバ決定が行われる測定報告を実行するようにＵＥを構成し得る。しかしながら、ＵＥにハンドオーバメッセージを送る前に、ソース基地局は、ハンドオーバのための１つまたは複数のターゲット基地局を準備する。ソース基地局からハンドオーバの要求を受信した後、ターゲット基地局は、ハンドオーバを実行するために使用されることになるモビリティ制御情報が含まれている接続再構成メッセージを有するハンドオーバコマンドを生成する。ターゲット基地局は、生成されたハンドオーバコマンドをソース基地局に送信し、その後それは、ＵＥにハンドオーバコマンドを転送する。ハンドオーバコマンドは、ターゲットセルのビームに関連付けられたランダムアクセス（例えば、ＲＡＣＨ）構成とともに、少なくともターゲットセルのセル識別情報（identity）を含み得る。ＲＡＣＨ構成は、ターゲット基地局へのランダムアクセスを試みる前にいかなるＬＢＴプロシージャも使用されない競合なしのランダムアクセス（ＣＦＲＡ）、またはＵＥがターゲット基地局へのランダムアクセスを試みる前にチャネルを確保（secure）するためのＬＢＴプロシージャを先に（first）実行することになる競合ベースのランダムアクセス（ＣＢＲＡ）のための構成を含み得る。複数の狭いビームにマッピングされたリソースのセットが、ＣＦＲＡおよびＣＢＲＡの両方のために、ターゲット基地局によってスケジュールされる。いったんＵＥがソース基地局によって転送されたハンドオーバコマンドを受信すると、ＵＥは、ＣＦＲＡリソースがＵＥのビーム選択のために提供されない場合、ＵＥによって選択されたビームリソースに対してＣＢＲＡを実行することになる。ハンドオーバが成功裏に完了すると、ＵＥは、確認メッセージを送ることになる。
【００６０】
[0069]  このプロシージャの１つの欠点は、基地局によって提供されるＣＦＲＡリソースが、ＵＥのうちの１つまたは複数にとって最適でない場合があることである。例えば、基地局は、ＣＦＲＡリソースを割り振り得るが、そのようなスケジュールされたＣＦＲＡリソースは、ＣＢＲＡリソースの後に生じる。ＣＢＲＡリソースが先に利用可能であるときに、ランダムアクセスを実行するためにＣＦＲＡリソースを待つのは非効率的であり、さらなる遅延を追加する場合がある。さらに、ＵＥが、ＣＦＲＡリソースでのランダムアクセスのためにスケジュールされた時間に達するまでには、ＣＦＲＡリソース（ビーム情報）は、依然として有効であることも、有効でないこともある。ランダムアクセス中にターゲットセルの好適なビームを見つけることの任意の失敗が、ＣＢＲＡへのフォールバック（fallback）をもたらし、これは、よりさらなる遅延を引き起こすことになる。
【００６１】
[0070]  本開示の様々な態様は、ＣＦＲＡおよびＣＢＲＡの両方のための構成が、ＲＡＣＨ構成メッセージ中に含まれることを提供し、ここで、ＵＥは、どちらのリソースが先にスケジュールされるかに少なくとも部分的に依存して、ＣＦＲＡおよびＣＢＲＡのいずれかまたは両方を実行することを選択する。
【００６２】
[0071]  図４は、本開示の一態様をインプリメントするために実行される例となるブロックを例示するブロック図である。例となるブロックはまた、図８に例示されるような、ＵＥ１１５に関して説明される。図８は、本開示の一態様に従って構成されたＵＥ１１５を例示するブロック図である。ＵＥ１１５は、図２のＵＥ１１５に関して例示されたような構造、ハードウェア、および構成要素を含む。例えば、ＵＥ１１５は、コントローラ／プロセッサ２８０を含み、これは、メモリ２８２に記憶されたロジックまたはコンピュータ命令を実行するように動作するのみならず、ＵＥ１１５の特徴および機能を提供するＵＥ１１５の構成要素を制御する。ＵＥ１１５は、コントローラ／プロセッサ２８０の制御下で、ワイヤレス無線機８００ａ〜ｒおよびアンテナ２５２ａ〜ｒを介して、信号を送信および受信する。ワイヤレス無線機８００ａ〜ｒは、変調器／復調器２５４ａ〜ｒ、ＭＩＭＯ検出器２５６、受信プロセッサ２５８、送信プロセッサ２６４、およびＴＸ  ＭＩＭＯプロセッサ２６６を含む、ＵＥ１１５に関して図２に例示されたような、様々な構成要素およびハードウェアを含む。
【００６３】
[0072]  ブロック４００において、ＵＥは、ランダムアクセス構成を受信し、ここにおいて、ランダムアクセス構成は、ＣＦＲＡおよびＣＢＲＡの両方のための構成を含む。例えば、ＵＥ１１５は、コントローラ／プロセッサ２８０の制御下で、アンテナ２５２ａ〜ｒおよびワイヤレス無線機８００ａ〜ｒを介して信号を受信する。信号は、ワイヤレス無線機８００ａ〜ｒの構成要素を通じて復調および復号され、ランダムアクセス要求として識別される。ランダムアクセス構成は、ターゲット基地局のうちの１つによって生成され、転送するためにターゲット基地局からソースへ送信された後、ソース基地局からＵＥ１１５によって受信される可能性が高い。その後、ＵＥ１１５は、ＣＦＲＡ構成８０１およびＣＢＲＡ構成８０２において、この構成をメモリ２８２に記憶することになる。
【００６４】
[0073]  ブロック４０１において、ＵＥは、第１のランダムアクセスリソースを決定し、ここにおいて、第１のランダムアクセスリソースは、ターゲット基地局からの１つまたは複数のビームにマッピングされる。ＵＥ１１５がランダムアクセスを実行することを決定すると、それは、コントローラ／プロセッサ２８０の制御下で、メモリ２８２に記憶されたＲＡロジック８０３を実行することになる。ＲＡロジック８０３の実行環境は、ＵＥ１１５が、以前に受信されたランダムアクセス構成に含まれる異なるリソース割り当てを追跡記録する（keep track）ことを可能にする。ターゲット基地局は、ＣＦＲＡおよびＣＢＲＡのためのランダムアクセスリソースとして、狭いビームのセットを構成およびスケジュールする。ランダムアクセスリソースの異なるセットは、異なる時間においてスケジュールされることになる。したがって、ＵＥ１１５は、ランダムアクセスリソースの第１のセットを監視および検出することになる。
【００６５】
[0074]  ブロック４０２において、第１のランダムアクセスリソースが、ＣＦＲＡリソースであるか、ＣＢＲＡリソースであるかの決定が行われる。ＲＡロジック８０３の実行環境は、どちらのリソースが先に生じたかを決定するために、ＣＦＲＡ構成８０１およびＣＢＲＡ構成８０２におけるリソース割り当て情報（resource assignment information）をチェックする。ＵＥ１１５がＣＢＲＡリソースを検出した場合には、ブロック４０３において、ＵＥは、ＣＢＲＡプロシージャを使用してランダムアクセス要求を開始することになる。ＣＢＲＡリソースが先に生じたという決定が行われたとき、ＵＥ１１５は、コントローラ／プロセッサ２８０の制御下で、ワイヤレス無線機８００ａ〜ｒおよびアンテナ２５２ａ〜ｒを介してＣＢＲＡリソースを使用して送信すべきランダムアクセス要求を生成するために、ＲＡ要求ジェネレータ８０４を実行することになる。しかしながら、ＵＥがＣＦＲＡリソースを検出した場合には、ブロック４０４において、ＵＥは、ＣＦＲＡプロシージャを使用してランダムアクセス要求を開始することになる。同様に、ＣＦＲＡリソースが先に検出された場合、ＲＡ要求ジェネレータ８０４の実行環境は、ワイヤレス無線機８００ａ〜ｒおよびアンテナ２５２ａ〜ｒを介してＣＦＲＡリソースを使用して、生成されたランダムアクセス要求を行わせることになる。どちらのランダムアクセスリソースが先にスケジュールされているかに依存して、ＵＥ１１５は、最も早い機会にランダムアクセスを効率的に始めるために、対応するランダムアクセスプロシージャ（ＣＢＲＡ対ＣＦＲＡ）を選択することになる。
【００６６】
[0075]  本開示の様々な態様は、ハンドオーバコマンドが、ターゲットセルのビームに関連付けられた（１つまたは複数の）ＲＡＣＨ構成を含むことを提供する。（１つまたは複数の）ＲＡＣＨ構成は、ＣＢＲＡおよびＣＦＲＡの両方の構成を含み得る。ＣＢＲＡおよびＣＦＲＡのためのリソースは、チャネル状態情報（ＣＳＩ）基準信号（ＣＳＩ−ＲＳ）または新無線（ＮＲ）共有スペクトル（ＮＲ−ＳＳ）ビームなどの、ターゲット基地局の既存のビームにマッピングされ得る。ハンドオーバ実行のためのＲＡＣＨ構成を受信した後、ＵＥは、（１）ＣＦＲＡがＣＢＲＡより前に生じた場合、または（２）ＣＦＲＡのビーム品質が特定の品質しきい値を上回ると決定された（例えば、ダウンリンク信号品質がしきい値を上回るか、アップリンク送信電力がしきい値を下回るか、またはしきい値レベルである品質がＣＢＲＡリソースのためにスケジュールされたビームよりも良い）場合のいずれかで、ＣＦＲＡを使用してＲＡＣＨを開始し得る。ターゲット基地局からランダムアクセス応答を受信した後、ＵＥは、ＣＦＲＡを介して接続をセットアップし続けることになる。
【００６７】
[0076]  ＵＥは、これらの条件のうちの１つが満たされたとき、ＣＦＲＡを実行することを最初に選択し得る一方で、ターゲット基地局が応答に失敗するか、またはＵＥが応答の受信に失敗した場合には、ＵＥは、ＣＢＲＡの好適なビーム（リソース）を使用してＲＡＣＨを再び開始するであろう。したがって、遅延期間（delay period）を超えたか、またはＵＥが単に予期されたとおりに応答を受信しなかった場合、ＵＥは、ＣＢＲＡを使用してランダムアクセスを実行することにフォールバックすることになる。
【００６８】
[0077]  ＵＥは、代わりに、（１）ＣＢＲＡがＣＦＲＡより前に生じた場合、または（２）ＣＦＲＡのビーム品質が乏しいと決定された（例えば、基地局によって提供されるしきい値を下回るか、またはランダムアクセス要求についてのＵＥにより計算された送信電力がしきい値を上回る）場合、ＣＢＲＡを使用してＲＡＣＨを開始することになる。
【００６９】
[0078]  図５は、本開示の一態様に従って構成されたＵＥ１１５、ソース基地局１０５ａ、およびターゲット基地局１０５ｂを例示するブロック図である。ソース基地局１０５ａは、チャネル状態についての測定報告を実行するようにＵＥ１１５を構成してある。５００において、ＵＥ１１５は、ソース基地局１０５ａに測定報告（measurement report）を送信する。測定報告に基づいて、ソース基地局１０５ａは、ターゲット基地局１０５ｂにＵＥ１１５をハンドオーバすることを決定する。
【００７０】
[0079]  ５０１において、ソース基地局１０５ａは、ターゲット基地局１０５ｂにハンドオーバ要求を送信する。ターゲット基地局１０５ｂは、ＣＢＲＡとＣＦＲＡの両方に備える（provides for）ランダムアクセス構成を含む、ＵＥ１１５のためのハンドオーバコマンドを準備する。ターゲット基地局１０５ｂはまた、ＵＥ１１５がランダムアクセスプロシージャ（random access procedure）において使用するために、ＣＢＲＡおよびＣＦＲＡの両方のためのランダムアクセスリソースを割り当ておよびスケジュールする。５０２において、ターゲット基地局１０５ｂは、ハンドオーバコマンドをソース基地局１０５ａに送り、それは、ＵＥ１１５にハンドオーバコマンドを転送する。
【００７１】
[0080]  図５によって例示される一例では、ＵＥ１１５は、ＣＦＲＡに関連付けられるべきランダムアクセスリソース＃１を検出する。このようなシナリオでは、ＵＥ１１５は、５０３において、ＣＦＲＡを使用してランダムアクセスプロセスを始めることになる。現在説明されている例では、５０４において、ターゲット基地局１０５ｂによって応答メッセージは送られない。応答メッセージを受信することなく、ＵＥ１１５は、ランダムアクセスリソース＃２を使用して、５０５において、ＣＢＲＡを使用してランダムアクセスを再び開始することにフォールバックする。ターゲット基地局１０５ｂは、５０６において、ハンドオーバ応答メッセージで応答し、ＵＥ１１５は、５０７において、接続を確立することを始める。
【００７２】
[0081]  図５によって例示される別の例では、ランダムアクセスリソース＃１がＣＦＲＡである代わりに、ＵＥ１１５は、それがＣＢＲＡであることを決定し、ＣＢＲＡを使用して、５０３において、ランダムアクセス要求を開始する。この例では、ターゲット基地局１０５ｂは、５０４において、ランダムアクセス要求に応答し、５０５におけるさらなるランダムアクセス要求なしに、接続が確立される。
【００７３】
[0082]  図５によって例示される別の例では、ハンドオーバコマンドにおいてＵＥ１１５を構成する際である。ＵＥ１１５は、ターゲットセルの対応するビームのうちの１つまたは複数に対して、ＣＦＲＡおよびＣＢＲＡを共に実行するように構成される。このような例となるインプリメンテーションでは、ＵＥ１１５は、ランダムアクセスリソース＃１の構成に依存して、ＣＦＲＡまたはＣＢＲＡのいずれかを用いて、５０３において、ランダムアクセスリソース＃１上でランダムアクセス要求を送り、ＣＢＲＡまたはＣＦＲＡの他方を用いて、５０５において、ランダムアクセスリソース＃２上でランダムアクセス要求を送る。
【００７４】
[0083]  代替の態様では、基地局が、ＵＥがハンドオーバ実行中にＣＢＲＡを使用したと決定した場合には、基地局は、ＣＦＲＡのために割り振られたリソースを解放（release）し得ることに留意されたい。
【００７５】
[0084]  図６は、本開示の一態様をインプリメントするために実行される例となるブロックを例示するブロック図である。例となるブロックはまた、図９に例示されるような、基地局１０５に関して説明される。図９は、本開示の一態様に従って構成された基地局１０５を例示するブロック図である。基地局１０５は、図２の基地局１０５に関して例示されたような構造、ハードウェア、および構成要素を含む。例えば、基地局１０５は、コントローラ／プロセッサ２４０を含み、これは、メモリ２４２に記憶されたロジックまたはコンピュータ命令を実行するように動作するのみならず、基地局１０５の特徴および機能を提供する基地局１０５の構成要素を制御する。基地局１０５は、コントローラ／プロセッサ２４０の制御下で、ワイヤレス無線機９００ａ〜ｔおよびアンテナ２３４ａ〜ｔを介して、信号を送信および受信する。ワイヤレス無線機９００ａ〜ｔは、変調器／復調器２３２ａ〜ｔ、ＭＩＭＯ検出器２３６、受信プロセッサ２３８、送信プロセッサ２２０、およびＴＸ  ＭＩＭＯプロセッサ２３０を含む、基地局１０５に関して図２に例示されたような、様々な構成要素およびハードウェアを含む。
【００７６】
[0085]  ブロック６００において、ターゲット基地局は、ＣＦＲＡのためにスケジュールされた１つまたは複数のビームにおいて、ＣＦＲＡプロシージャを使用するＵＥからのランダムアクセス要求を受信する。例えば、基地局１０５は、コントローラ／プロセッサ２４０の制御下で、アンテナ２３４ａ〜ｔおよびワイヤレス無線機９００ａ〜ｔを介して信号を受信する。信号は、ワイヤレス無線機９００ａ〜ｔの構成要素を通じて復調および復号され、ランダムアクセス要求として識別される。ブロック６０１において、ターゲット基地局は、アップリンク送信機会までの遅延を識別する、ＵＥへのランダムアクセス応答メッセージを送信する。ランダムアクセス要求に応答して、基地局１０５は、コントローラ／プロセッサ２４０の制御下で、メモリ２４２に記憶されたランダムアクセス（ＲＡ）ロジック９０１を実行する。ＲＡロジック９０１の実行環境は、基地局１０５がランダムアクセス応答メッセージを生成することを提供する(provides for)。ランダムアクセス応答メッセージは、メモリ２４２に記憶された、スケジュール遅延ロジック（schedule delay logic）９０６から識別される遅延を含むことになり、これは、サービス提供されるＵＥのアップリンク送信についてのスケジュールタイミングを提供する。ターゲット基地局がＵＥのためにアップリンク送信をスケジュールするための次の利用可能な機会は、この例となるシナリオでは、スケジュールされたＣＢＲＡリソースを越えて遅延される。
【００７７】
[0086]  ブロック６０２において、ターゲット基地局は、アップリンク送信機会より前に、ＵＥからのＣＢＲＡランダムアクセス要求を検出する。ＵＥとターゲット基地局である基地局１０５が、ＣＦＲＡを使用して接続を確立することを始めている一方で、ＣＦＲＡアップリンク送信機会をスケジュールすることの遅延のために、ＵＥは、より早い送信機会を試みるために、ＣＢＲＡを使用してランダムアクセスを再び開始することを選択した。ブロック６０３において、ターゲット基地局は、ＣＦＲＡを使用する次のアップリンク機会についての遅延を低減させる。接続確立が最初はＣＦＲＡで始められているときに、ＵＥがＣＢＲＡを使用して送信しようと試みていることを検出したことに応答して、ターゲット基地局である基地局１０５は、スケジューリングにおけるその遅延が長すぎる可能性があることを認識し得る。その後、基地局１０５は、ＣＦＲＡベースの送信の次のスケジューリングのために、この情報を使用して、スケジュール遅延ロジック（schedule delay logic）９０６における遅延を低減させ得る。したがって、後続のＣＦＲＡの試みでは、基地局１０５は、遅延を減らし、ＣＦＲＡ接続確立を維持し得る。
【００７８】
[0087]  図７は、本開示の一態様をインプリメントするために実行される例となるブロックを例示するブロック図である。例となるブロックはまた、図９に例示されるような、基地局１０５に関して説明される。ブロック７００において、ターゲット基地局は、ソース基地局から、特定のＵＥに関連付けられたハンドオーバ要求を受信する。上記で説明された機能と同様に、基地局１０５は、コントローラ／プロセッサ２４０の制御下で、アンテナ２３４ａ〜ｔおよびワイヤレス無線機９００ａ〜ｔを介して、ソース基地局からのハンドオーバ要求を受信する。ソース基地局が、特定のＵＥがハンドオーバされるべきであると決定すると、それは、１つまたは複数の可能性のあるターゲット基地局にハンドオーバ要求を送出することになる。
【００７９】
[0088]  ブロック７０１において、ターゲット基地局は、ＣＦＲＡプロシージャとＣＢＲＡプロシージャの両方のための構成を含むランダムアクセス構成を有するハンドオーバコマンドを生成する。例えば、基地局１０５は、コントローラ／プロセッサ２４０の制御下で、メモリ２４２に記憶されたＲＡロジック９０１を実行する。ＲＡロジック９０１の実行環境は、メモリ２４２に記憶されたＨＯコマンドジェネレータ９０２を実行することによって、基地局１０５が、ハンドオーバコマンドを生成することをトリガする。ＨＯコマンドジェネレータ９０２の実行環境は、メモリ２４２に記憶されたＣＦＲＡ構成９０３およびＣＢＲＡ構成９０４から選択された、ＣＦＲＡおよびＣＢＲＡの両方のための構成を含むハンドオーバメッセージを生成する。
【００８０】
[0089]  ブロック７０２において、ターゲット基地局は、ＣＦＲＡのためのリソースとして１つまたは複数のビームと、ＣＢＲＡのためのリソースとして１つまたは複数の追加のビームとをスケジュールする。ターゲット基地局である基地局１０５が、ＵＥのためのハンドオーバの準備をするとき、本開示の態様に従って生成されるハンドオーバコマンドは、ＣＦＲＡおよびＣＢＲＡの両方のための構成を含み、ＣＦＲＡおよびＣＢＲＡの両方のランダムアクセスプロシージャに適合するために、ターゲット基地局のビームリソースの割り当ておよびスケジューリングを含むことになる。例えば、ＲＡロジック９０１およびＨＯコマンドジェネレータ９０２の実行環境は、コントローラ／プロセッサ２４０の制御下で、リソース割り当てロジック９０５の実行をトリガする。リソース割り当てロジック９０５の実行環境は、ＣＦＲＡのためのリソースとしてビームのセットと、ＣＢＲＡのためのリソースとして他のビームのセットとをスケジュールする。
【００８１】
[0090]  ブロック７０３において、ターゲット基地局は、ＣＢＲＡのための１つまたは複数の追加のビームを使用して、ＵＥによるハンドオーバの開始を検出する。例えば、基地局１０５は、アンテナ２３４ａ〜ｔおよびワイヤレス無線機９００ａ〜ｔを介してハンドオーバ開始メッセージを受信し、コントローラ／プロセッサ２４０の制御下、およびＲＡロジック９０１の実行環境で、ハンドオーバ開始メッセージが、ＣＢＲＡリソースを介して受信されたことを検出する。ブロック７０４において、ターゲット基地局は、ＣＦＲＡのためのリソースのスケジュールされたビームを解放する。ハンドオーバコマンドを生成し、ＣＦＲＡおよびＣＢＲＡの両方のためにリソースをスケジュールした後、ターゲット基地局である基地局１０５が、その後、ＵＥがＣＢＲＡを使用してランダムアクセスを試みていることを検出したとき、それは、ＣＦＲＡのために割り当てられたリソースを解放し得る。ＲＡロジック９０１の実行環境は、ハンドオーバがＣＢＲＡリソースを使用して確立されていることを認識し、基地局１０５においてリソースを節約するために、ＣＦＲＡのために割り当てられたビームのセットを解放する。
【００８２】
[0091]  代替の態様では、ターゲット基地局は、ランダムアクセスの開始がＣＦＲＡリソースを使用してＵＥから検出されたとき、ＣＢＲＡのために割り当てられたリソースを同様に解放し得ることに留意されたい。このような代替の態様では、ターゲット基地局は、所定のしきい値期間（threshold period）の間、ＣＦＲＡリソースを解放することを待ち得る。この遅延期間（delay period）は、ＵＥがＣＢＲＡでランダムアクセスを試みることにフォールバックすることを必要とされるであろう場合に備えて、ＵＥがＣＢＲＡを使用して接続を確立するためのより多くの時間を可能にする。このような遅延期間はまた、前の例となるシナリオにも適用され得、ここで、遅延は、ＣＢＲＡリソースを使用してランダムアクセスの開始を検出した後に設けられる。
【００８３】
[0092]  当業者であれば、情報および信号は、様々な異なる技術および技法のうちの任意のものを用いて表され得ることを理解するであろう。例えば、上記の説明全体にわたって参照され得るデータ、命令、コマンド、情報、信号、ビット、シンボル、およびチップは、電圧、電流、電磁波、磁場または磁性粒子、光場または光粒子、あるいはこれらの任意の組合せによって表され得る。
【００８４】
[0093]  図４、図６および図７の機能ブロックおよびモジュールは、プロセッサ、電子デバイス、ハードウェアデバイス、電子構成要素、論理回路、メモリ、ソフトウェアコード、ファームウェアコード、等、またはこれらの任意の組合せを備え得る。
【００８５】
[0094]  当業者であれば、本明細書での開示に関連して説明された様々な例示的な論理ブロック、モジュール、回路、およびアルゴリズムステップは、電子ハードウェア、コンピュータソフトウェア、または両方の組合せとしてインプリメントされ得ることをさらに理解するであろう。ハードウェアおよびソフトウェアのこの互換性を明確に例示するために、様々な例示的な構成要素、ブロック、モジュール、回路、およびステップが、概してそれらの機能の観点から上記で説明されてきた。このような機能が、ハードウェアとしてインプリメントされるか、またはソフトウェアとしてインプリメントされるかは、特定のアプリケーションおよびシステム全体に課せられる設計制約に依存する。当業者は、特定のアプリケーションごとに多様な方法において、説明された機能をインプリメントし得るが、このようなインプリメンテーションの決定は、本開示の範囲から逸脱を引き起こしていると解釈されるべきでない。当業者はまた、本明細書で説明された構成要素、方法、またはインタラクションの順序または組合せは例にすぎないこと、および、本開示の様々な態様の構成要素、方法、またはインタラクションは、本明細書で例示および説明されたもの以外の方法で実行または組み合わされ得ることを容易に認識するであろう。
【００８６】
[0095]  本明細書での開示に関連して説明された、様々な例示的な論理ブロック、モジュールおよび回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明された機能を実行するように設計されたこれらの任意の組合せを用いてインプリメントまたは実行され得る。汎用プロセッサは、マイクロプロセッサであり得るが、代替として、このプロセッサは、任意の従来のプロセッサ、コントローラ、マイクロコントローラ、またはステートマシン（state machine）であり得る。プロセッサはまた、コンピューティングデバイスの組合せ、例えば、ＤＳＰとマイクロプロセッサの組合せ、複数のマイクロプロセッサ、ＤＳＰコアと連携した１つまたは複数のマイクロプロセッサ、あるいはその他任意のこのような構成としてインプリメントされ得る。
【００８７】
[0096]  本明細書での開示に関連して説明された方法またはアルゴリズムのステップは、直接ハードウェアにおいて、プロセッサによって実行されるソフトウェアモジュールにおいて、またはこれら２つの組合せにおいて具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術分野において周知であるその他任意の形態の記憶媒体内に存在し得る。例示的な記憶媒体は、プロセッサが記憶媒体から情報を読み取り、また、記憶媒体に情報を書き込み得るように、プロセッサに結合される。代替として、記憶媒体は、プロセッサと一体化され得る。プロセッサおよび記憶媒体は、ＡＳＩＣ内に存在し得る。ＡＳＩＣは、ユーザ端末内に存在し得る。代替として、プロセッサおよび記憶媒体は、ユーザ端末内に個別構成要素として存在し得る。
【００８８】
[0097]  １つまたは複数の例示的な設計では、説明された機能は、ハードウェア、ソフトウェア、ファームウェア、またはこれらの任意の組合せでインプリメントされ得る。ソフトウェアでインプリメントされる場合、これら機能は、コンピュータ可読媒体上で、１つまたは複数の命令またはコードとして送信または記憶され得る。コンピュータ可読媒体は、１つの場所から別の場所へのコンピュータプログラムの転送を容易にする任意の媒体を含む通信媒体とコンピュータ記憶媒体との両方を含む。コンピュータ可読記憶媒体は、汎用または専用コンピュータによってアクセスされ得る任意の利用可能な媒体であり得る。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形で所望のプログラムコード手段を搬送または記憶するために使用され得、かつ、汎用または専用コンピュータ、あるいは汎用または専用プロセッサによってアクセスされ得る、その他任意の媒体を備え得る。また、接続は、厳密にはコンピュータ可読媒体と称され得る。例えば、ソフトウェアが、同軸ケーブル、光ファイバーケーブル、ツイストペア、またはデジタル加入者回線（ＤＳＬ）を使用して、ウェブサイト、サーバ、または他の遠隔ソースから送信される場合には、同軸ケーブル、光ファイバーケーブル、ツイストペア、またはＤＳＬは、媒体の定義に含まれる。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）は、通常磁気的にデータを再生し、一方ディスク（discs）は、レーザーを用いて光学的にデータを再生する。上記の組合せもまた、コンピュータ可読媒体の範囲内に含まれるべきである。
【００８９】
[0098]  特許請求の範囲内を含め、本明細書で使用される場合、「および／または（and/or）」という用語は、２つ以上の項目の列挙において使用されるとき、列挙される項目のうちのいずれか１つが単独で用いられ得ること、または列挙される項目のうちの２つ以上の任意の組合せが用いられ得ることを意味する。例えば、ある構成が、構成要素Ａ、Ｂ、および／またはＣを含むものとして説明される場合、その構成は、Ａのみ、Ｂのみ、Ｃのみ、ＡとＢの組合せ、ＡとＣの組合せ、ＢとＣの組合せ、またはＡとＢとＣの組合せを含み得る。また、特許請求の範囲内を含め、本明細書で使用される場合、「のうちの少なくとも１つ」で終わる項目の列挙において使用される「または（or）」は、例えば、「Ａ、Ｂ、またはＣのうちの少なくとも１つ」という列挙が、ＡまたはＢまたはＣまたはＡＢまたはＡＣまたはＢＣまたはＡＢＣ（すなわち、ＡおよびＢおよびＣ）、あるいはこれらの任意の組合せにおけるこれらの任意のものを意味するような、選言的な列挙（disjunctive list）を示す。
【００９０】
[0099]  本開示の先の説明は、いかなる当業者であっても、本開示の製造または使用を可能にするように提供される。本開示への様々な変更は、当業者には容易に明らかとなり、本明細書で定義した一般原理は、本開示の趣旨または範囲から逸脱することなく、他の変形形態に適用され得る。したがって、本開示は、本明細書で説明された例および設計に限定されるようには意図されず、本明細書で開示された原理および新規の特徴に合致する最も広い範囲を与えられることとなる。
【図１】
2020519121.tif 000003
【図２】
2020519121.tif 000004
【図３】
2020519121.tif 000005
【図４】
2020519121.tif 000006
【図５】
2020519121.tif 000007
【図６】
2020519121.tif 000008
【図７】
2020519121.tif 000009
【図８】
2020519121.tif 000010
【図９】
2020519121.tif 000011
【国際調査報告】
2020519121.tif 000012
2020519121.tif 000013
2020519121.tif 000014
2020519121.tif 000015